(57)【要約】【課題】駆動状態を適切に切り替えることが可能な表示装置及び表示制御方法を提供することにある。【解決手段】実施形態によれば、第１の駆動モード及び第２の駆動モードで駆動する表示装置が提供される。表示装置は、表示部と、制御部とを具備する。表示部は、画素信号に基づいて画像を表示するための表示動作を行う。制御部は、表示動作を制御することによって第１の駆動モードと第２の駆動モードとを切り替える。制御部は、表示装置が第２の駆動モードで駆動している間に第２の駆動モードを第１の駆動モードに切り替えるための切替信号が受信された場合、第２の１フレーム期間を短縮して第２の駆動モードを第１の駆動モードに切り替える。【選択図】図１１
2018060007.tif 000002
【特許請求の範囲】
【請求項１】
第１の１フレーム期間で１フレームの画像を表示する第１の駆動モード及び前記第１の１フレーム期間よりも長い第２の１フレーム期間で前記１フレームの画像を表示する第２の駆動モードで駆動する表示装置において、
画素信号に基づいて画像を表示するための表示動作を行う表示部と、
前記表示動作を制御することによって前記第１の駆動モードと前記第２の駆動モードとを切り替える制御部と
を具備し、
前記制御部は、前記表示装置が前記第２の駆動モードで駆動している間に前記第２の駆動モードを前記第１の駆動モードに切り替えるための切替信号が受信された場合、前記第２の１フレーム期間を短縮して前記第２の駆動モードを前記第１の駆動モードに切り替える
表示装置。
【請求項２】
前記第２の１フレーム期間は、前記表示動作が行われる表示期間及び前記画像の表示を調整するための表示調整期間を含み、
前記制御部は、
前記切替信号が受信された場合に前記第２の１フレーム期間に含まれる表示期間が終了しているかを判定し、
前記表示期間が終了していると判定された場合に、前記表示調整期間の途中で前記第２の１フレーム期間を終了させて前記第２の駆動モードを前記第１の駆動モードに切り替え、
前記表示期間が終了していないと判定された場合に、当該表示期間の終了後に前記第２の１フレーム期間を終了させて前記第２の駆動モードを前記第１の駆動モードに切り替える
請求項１記載の表示装置。
【請求項３】
前記第１の１フレーム期間は、前記表示動作が行われる表示期間と、前記画像の表示を調整するための表示調整期間を含み、
前記第２の１フレーム期間に含まれる表示期間の長さは、前記第１の１フレーム期間に含まれる表示期間の長さと同一であり、
前記第２の１フレーム期間に含まれる表示調整期間の長さは、前記第１の１フレーム期間に含まれる表示調整期間の長さよりも長い
請求項２記載の表示装置。
【請求項４】
前記表示調整期間は、前記画像の表示の極性を反転する垂直バックポーチ期間及び前記表示期間の後に設けられる垂直フロントポーチ期間を含み、
前記表示装置が前記第２の駆動モードで駆動する場合、前記垂直フロントポーチ期間が延長される
請求項３記載の表示装置。
【請求項５】
外部から画素データが書き込まれるメモリを備え、
前記表示部は、前記メモリに書き込まれた画素データから生成される画素信号に基づいて表示動作を行い、
前記切替信号は、前記メモリに前記画素データが書き込まれたことを表す信号を含む
請求項１記載の表示装置。
【請求項６】
前記制御部は、前記第１の駆動モードで駆動している場合であって、予め定められた期間内に前記メモリに前記画素データが書き込まれない場合、前記第１の駆動モードを前記第２の駆動モードに切り替える請求項５記載の表示装置。
【請求項７】
外部近接物体に応じた静電容量の変化に基づく検出信号を検出するためのタッチ検出動作を行う検出部を備え、
前記第２の１フレーム期間は、前記表示動作が行われる表示期間と、前記タッチ検出動作が行われるタッチ検出期間と、前記画像の表示を調整するための表示調整期間を含み、
前記制御部は、
前記切替信号が受信された場合に前記第２の１フレーム期間に含まれる表示期間及びタッチ検出期間が終了しているかを判定し、
前記表示期間及び前記タッチ検出期間が終了していると判定された場合に、前記表示調整期間の途中で前記第２の１フレーム期間を終了させて前記第２の駆動モードを前記第１の駆動モードに切り替え、
前記表示期間及び前記タッチ検出期間が終了していないと判定された場合に、当該表示期間及び当該タッチ検出期間の終了後に前記第２の１フレーム期間を終了させて前記第２の駆動モードを前記第１の駆動モードに切り替える
請求項１記載の表示装置。
【請求項８】
前記表示部は、前記表示期間に表示駆動電圧が印加される複数の共通電極を含み、
前記検出部は、前記タッチ検出期間にタッチ駆動電圧が印加される複数の駆動電極を含み、
前記複数の共通電極は、前記複数の駆動電極として用いられ、
前記表示期間と前記タッチ検出期間とは重複しない
請求項７記載の表示装置。
【請求項９】
前記制御部は、
前記１フレーム期間の経過をカウントするカウンタ回路と、
前記第２の１フレーム期間を短縮して前記第２の駆動モードを前記第１の駆動モードに切り替える際に、前記カウンタ回路によるカウントをリセットするリセット回路と
を含む
請求項１記載の表示装置。
【請求項１０】
第１の１フレーム期間で１フレーの画像を表示する第１の駆動モード及び前記第１の１フレーム期間よりも長い第２の１フレーム期間で前記１フレームの画像を表示する第２の駆動モードで表示装置を駆動する表示制御方法であって、
画素信号に基づいて画像を表示するための表示動作を行うステップと、
前記表示動作を制御することによって前記第１の駆動モードと前記第２の駆動モードとを切り替えるステップと
を具備し、
前記切り替えるステップにおいて、前記表示装置が前記第２の駆動モードで駆動している間に前記第２の駆動モードを前記第１の駆動モードに切り替えるための切替信号が受信された場合、前記第２の１フレーム期間を短縮して前記第２の駆動モードを前記第１の駆動モードに切り替える
表示制御方法。
【請求項１１】
前記第２の１フレーム期間は、前記表示動作が行われる表示期間及び前記画像の表示を調整するための表示調整期間を含み、
前記切り替えるステップは、
前記切替信号が受信された場合に前記第２の１フレーム期間に含まれる表示期間が終了しているかを判定するステップと、
前記表示期間が終了していると判定された場合に、前記表示調整期間の途中で前記第２の１フレーム期間を終了させて前記第２の駆動モードを前記第１の駆動モードに切り替えるステップと、
前記表示期間が終了していないと判定された場合に、当該表示期間の終了後に前記第２の１フレーム期間を終了させて前記第２の駆動モードを前記第１の駆動モードに切り替えるステップと
を含む
請求項１０記載の表示制御方法。
【請求項１２】
前記第１の１フレーム期間は、前記表示動作が行われる表示期間と、前記画像の表示を調整するための表示調整期間を含み、
前記第２の１フレーム期間に含まれる表示期間の長さは、前記第１の１フレーム期間に含まれる表示期間の長さと同一であり、
前記第２の１フレーム期間に含まれる表示調整期間の長さは、前記第１の１フレーム間に含まれる表示調整期間の長さよりも長い
請求項１１記載の表示制御方法。
【請求項１３】
前記表示調整期間は、前記画像の表示の極性を判定する垂直バックポーチ期間及び前記表示期間の後に設けられる垂直フロントポーチ期間を含み、
前記表示装置が前記第２の駆動モードで駆動する場合、前記垂直フロントポーチ期間が延長される
請求項１２記載の表示制御方法。
【請求項１４】
前記表示装置は、外部から画素データが書き込まれるメモリを備え、
前記表示動作を行うステップにおいて、前記メモリに書き込まれた画素データから生成される画素信号に基づいて表示動作を行い、
前記切替信号は、前記メモリに前記画素データが書き込まれたことを表す信号を含む
請求項１０記載の表示制御方法。
【請求項１５】
前記切り替えるステップは、前記第１の駆動モードで駆動してる場合であって、予め定められた期間内に前記メモリに前記画素データが書き込まれない場合、前記第１の駆動モードを前記第２の駆動モードに切り替えるステップを含む請求項１４記載の表示制御方法。
【請求項１６】
外部近接物体に応じた静電量の変化に基づく検出信号を検出するためのタッチ検出動作を行うステップを具備し、
前記第２の１フレーム期間は、前記表示動作が行われる表示期間と、前記タッチ検出動作が行われるタッチ検出期間と、前記画像の表示を調整するための表示調整期間を含み、
前記切り替えるステップは、
前記切替信号が受信された場合に前記第２の１フレーム期間に含まれる表示期間及びタッチ検出期間が終了しているかを判定するステップと
前記表示期間及び前記タッチ検出期間が終了していると判定された場合に、前記表示調整期間の途中で前記第２の１フレーム期間を終了させて前記第２の駆動モードを前記第１の駆動モードに切り替えるステップと、
前記表示期間及び前記タッチ検出期間が終了していないと判定された場合に、当該表示期間及び当該タッチ検出期間の終了後に前記第２の１フレーム期間を終了させて前記第２の駆動モードを前記第１の駆動モードに切り替えるステップと
を含む
請求項１０記載の表示制御方法。
【請求項１７】
前記表示期間に表示駆動電圧が印加される複数の共通電極は、前記タッチ検出期間にタッチ駆動電圧が印加される複数の駆動電極として用いられ、
前記表示期間と前記タッチ検出期間とは重複しない
請求項１６記載の表示制御方法。
【請求項１８】
前記表示装置は、カウンタ回路とリセット回路とを備え、
前記切り替えるステップは、
前記カウンタ回路によって前記１フレーム期間の経過をカウントするステップと、
前記第２の駆動モードが前記第１の駆動モードに切り替えられる際に、前記リセット回路によって前記カウンタ回路によるカウントをリセットするステップと
を含む
請求項１０記載の表示制御方法。
【発明の詳細な説明】
【技術分野】
【０００１】
本発明の実施形態は、表示装置及び表示制御方法に関する。
【背景技術】
【０００２】
近年では、液晶表示装置及び有機エレクトロルミネッセンス（ＥＬ）表示装置等の様々なタイプの表示装置が知られている。このような表示装置においては、１フレームの画像（画面）が所定のリフレッシュレート（フレームレート）で順次書き換えられることによって例えば映像（動画）等を表示することができる。
【先行技術文献】
【特許文献】
【０００３】
【特許文献１】特開２０１０−０９３５９６号公報
【特許文献２】特開２００５−２１８００９号公報
【特許文献３】特開２０１１−０３５７９６号公報
【発明の概要】
【発明が解決しようとする課題】
【０００４】
ここで、表示装置の通常駆動時における画像のリフレッシュレートを低くすることによって当該表示装置を低速駆動させる場合がある。このような低速駆動によれば、表示装置における消費電力を低減することができる。
上記した消費電力の低減を実現するためには表示装置の駆動状態（駆動モード）を低速駆動にすることが有用であるが、例えば画像の表示（書き換え）の遅延等を回避するためには、必要に応じて速やかに当該表示装置の駆動状態を低速駆動から通常駆動に復帰することが望まれる。すなわち、表示装置の駆動状態を適切に切り替えることが重要である。
【０００５】
そこで、本発明が解決しようとする課題は、駆動状態を適切に切り替えることが可能な表示装置及び表示制御方法を提供することにある。
【課題を解決するための手段】
【０００６】
実施形態によれば、第１の１フレーム期間で１フレームの画像を表示する第１の駆動モード及び前記第１のフレーム期間よりも長い第２の１フレーム期間で前記１フレームの画像を表示する第２の駆動モードで駆動する表示装置が提供される。前記表示装置は、表示部と、制御部とを具備する。前記表示部は、画素信号に基づいて画像を表示するための表示動作を行う。前記制御部は、前記表示動作を制御することによって前記第１の駆動モードと前記第２の駆動モードとを切り替える。前記制御部は、前記表示装置が前記第２の駆動モードで駆動している間に前記第２の駆動モードを前記第１の駆動モードに切り替えるための切替信号が受信された場合、前記第２の１フレーム期間を短縮して前記第２の駆動モードを前記第１の駆動モードに切り替える。
【図面の簡単な説明】
【０００７】
【図１】第１の実施形態に係る表示装置の概略構成の一例を示す斜視図。
【図２】主として表示装置に備えられる表示パネルの概略構成の一例を示す図。
【図３】表示装置の断面構造の一例を模式的に示す図。
【図４】タッチ検出機構の基本動作を説明するための図。
【図５】共通電極とタッチ検出電極との関係について説明するための図。
【図６】表示期間とタッチ検出期間との関係について説明するための図。
【図７】主としてパネルドライバの内部の回路構成の一例を示す図。
【図８】通常駆動モード時の１フレーム期間における表示期間、タッチ検出期間及び表示調整期間の配置について説明するための図。
【図９】低速駆動モード時の１フレーム期間における表示期間、タッチ検出期間及び表示調整期間の配置について説明するための図。
【図１０】パネルドライバに備えられるタイミングコントローラの構成の一例を示す図。
【図１１】タイミングコントローラの動作の概要について説明するためのフローチャート。
【図１２】低速駆動モード時にＲＡＭＷＲコマンドが受信されない場合の１フレーム期間の遷移について説明するための図。
【図１３】低速駆動モード時にＲＡＭＷＲコマンドが受信される場合の１フレーム期間の遷移について説明するための図。
【図１４】低速駆動モード時にＲＡＭＷＲコマンドが受信される場合の１フレーム期間の遷移について説明するための図。
【図１５】通常駆動モード時の１フレーム期間における各種信号の関係を表すタイミングチャート。
【図１６】低速駆動モード時の１フレーム期間における各種信号の関係を表すタイミングチャート。
【図１７】垂直フロントポーチ期間中にタッチ検出動作を行う場合の各種信号の関係を示すタイミングチャート。
【図１８】第１の変形例における１フレーム期間の遷移について説明するための図。
【図１９】第１の変形例における１フレーム期間の遷移について説明するための図。
【図２０】第２の変形例における１フレーム期間の遷移について説明するための図。
【図２１】第２の変形例における１フレーム期間の遷移について説明するための図。
【図２２】第１の変形例を第２の変形例と組み合わせた場合の１フレーム期間の遷移について説明するための図。
【図２３】第１の変形例を第２の変形例と組み合わせた場合の１フレーム期間の遷移について説明するための図。
【図２４】第２の実施形態に係る表示装置の断面構造の一例を模式的に示す図。
【図２５】通常駆動モード時の１フレーム期間における各種信号の関係を表すタイミングチャート。
【図２６】低速駆動モード時の１フレーム期間における各種信号の関係を表すタイミングチャート。
【発明を実施するための形態】
【０００８】
以下、図面を参照して、実施形態について説明する。  
（第１の実施形態）  
まず、第１の実施形態について説明する。図１は、本実施形態に係る表示装置ＤＳＰの概略構成を示す斜視図である。本実施形態において、表示装置ＤＳＰは、タッチ検出機能を有する表示装置（以下、タッチ検出機能付き表示装置と表記）であるものとして説明する。タッチ検出機能付き表示装置としては、表示装置の表示面上にタッチパネルを形成したいわゆるオンセル型と称されるタッチ検出機構を備えるものの他に、表示装置にもともと備えられている画像表示用の共通電極を、一対のタッチ検出用の電極のうちの一方として兼用し、他方の電極（タッチ検出電極）をこの共通電極と交差するように配置した、いわゆるインセル型と称されるタッチ検出機構を備えるものがある。以下、本実施形態に係る表示装置ＤＳＰはインセル型と称されるタッチ検出機構を備えるものとして説明する。
【０００９】
図１に示すように、表示装置ＤＳＰは、表示パネルＰＮＬを備える。表示パネルＰＮＬは、タッチ検出機構一体型の表示パネルである。表示パネルＰＮＬとしては、表示機能層として液晶層を用いた表示パネル及び有機発光層を用いた有機エレクトロルミネッセンス（ＥＬ）パネル等が用いられるが、ここでは液晶層を用いた表示パネルについて説明する。
【００１０】
なお、本実施形態において「タッチ検出」は、指先（またはペン）等の被検出物が表示パネルＰＮＬに接触したことを検出することのみでなく、例えば被検出物が表示パネルＰＮＬに近接したことを検知することをも含むものとする。
表示パネルＰＮＬは、第１基板ＳＵＢ１（アレイ基板）と、第１基板ＳＵＢ１に対向配置された第２基板ＳＵＢ２（対向基板）と、第１基板ＳＵＢ１及び第２基板ＳＵＢ２の間に形成された液晶層（図示せず）とを備える。なお、例えば第１基板ＳＵＢ１上には、表示パネルＰＮＬを駆動するパネルドライバ（液晶ドライバ）ＩＣ１が搭載されている。
【００１１】
表示パネルＰＮＬは、例えば容量変化検出型のタッチ検出機構ＳＥと一体化して構成されている。図１において、表示パネルＰＮＬの表示領域ＤＡの面上には、タッチ検出機構ＳＥを形成するタッチ検出電極Ｒｘが設けられている。タッチ検出電極Ｒｘは、例えば透明電極であり、ＩＴＯ（インジウム・ティン・オキサイド）等で構成される。なお、タッチ検出電極Ｒｘは、表示パネルＰＮＬの外部に設けられていてもよいし、内部に設けられていてもよい。タッチ検出機構ＳＥは、タッチドライバＩＣ２により制御される。
【００１２】
また、表示装置ＤＳＰの外部にはホスト装置ＨＯＳが設けられ、当該ホスト装置ＨＯＳは、フレキシブル配線基板ＦＰＣ１及びパネルドライバＩＣ１を介して、表示パネルＰＮＬに接続されている。また、ホスト装置ＨＯＳは、フレキシブル配線基板ＦＰＣ２及びタッチドライバＩＣ２を介して、タッチ検出機構ＳＥに接続されている。
【００１３】
なお、パネルドライバＩＣ１及びタッチドライバＩＣ２は、同一チップとして構成されていても構わない。タッチドライバＩＣ２をパネルドライバＩＣ１と同一チップとする場合には、当該チップを例えば第２基板ＳＵＢ２、フレキシブル配線基板ＦＰＣ１またはフレキシブル配線基板ＦＰＣ２上に配置することにより、フレキシブル配線基板ＦＰＣ１及びフレキシブル配線基板ＦＰＣ２の一方を省略してもよい。
【００１４】
第１基板ＳＵＢ１の下側（つまり、表示パネルＰＮＬの背面側）には、表示パネルＰＮＬを照明する照明具としてバックライトユニットＢＬが配置されている。フレキシブル配線基板ＦＰＣ３は、バックライトユニットＢＬとホスト装置ＨＯＳとを接続する。バックライトユニットＢＬとしては、種々の形態のバックライトユニットが利用可能であり、光源としては、発光ダイオード（ＬＥＤ）を利用したもの及び冷陰極管（ＣＣＦＬ）を利用したもの等がある。ここでは、表示パネルＰＮＬの背面側に配置されるバックライトユニットＢＬを使用する場合について説明したが、当該表示パネルＰＮＬの表示面側に配置されるフロントライトが使用されても構わない。また、導光板とそのサイドに配置されるＬＥＤまたは冷陰極管を用いた照明具が使用されてもよいし、発光素子を平面的に配列した点状光源を用いた照明具が使用されてもよい。なお、表示装置ＤＳＰが反射型の表示装置である場合、または表示パネルＰＮＬが有機ＥＬを用いている場合には、照明具を備えない構成であってもよい。
図１においては省略されているが、表示装置ＤＳＰは、２次電池及び電源回路等を備える。
【００１５】
なお、本実施形態の表示パネルＰＮＬは、透過型、反射型、半透過型のいずれであってもよい。透過型の表示パネルＰＮＬが適用された表示装置ＤＳＰには、上記の通り、第１基板ＳＵＢ１の背面側にバックライトユニットＢＬを備え、バックライトユニットＢＬからの光を選択的に透過させることで画像を表示する透過表示機能を有している。反射型の表示パネルＰＮＬが適用される表示装置ＤＳＰは、液晶層より表示パネルＰＮＬの背面側に光を反射する反射層を有し、第２基板ＳＵＢ２の前面側（あるいは表示面側）からの光を選択的に反射させることで画像を表示する反射表示機能を有している。なお、反射型の表示パネルＰＮＬの前面側には、補助光源が備えられてもよい。また、反射層は、金属等の反射機能を有する材料で液晶層より表示パネルＰＮＬの背面側にある電極を形成するように構成されていてもよい。半透過型の表示パネルＰＮＬが適用される表示装置ＤＳＰは、上記の透過表示機能及び反射表示機能を有している。
【００１６】
図２は、主として表示装置ＤＳＰに備えられる表示パネルＰＮＬの概略構成を示す。図２に示すように、表示パネルＰＮＬには、マトリクス状に配置された複数の表示画素ＰＸ（表示素子）が設けられている。更に、表示パネルＰＮＬには、複数の表示画素ＰＸが配列する行に沿って延びる走査線Ｇ（Ｇ１、Ｇ２、…、Ｇｍ）と、複数の表示画素ＰＸが配列する列に沿って延びる信号線Ｓ（Ｓ１、Ｓ２、…、Ｓｎ）と、走査線Ｇと信号線Ｓとが交差する位置近傍に配置された画素スイッチＳＷとが備えられている。
【００１７】
画素スイッチＳＷは、薄膜トランジスタ（ＴＦＴ：Thin Film Transistor）を含む。画素スイッチＳＷのゲート電極は、対応する走査線Ｇと電気的に接続されている。画素スイッチＳＷのソース電極は、対応する信号線Ｓと電気的に接続されている。また、画素スイッチＳＷのドレイン電極は、対応する画素電極ＰＥと電気的に接続されている。なお、画素スイッチＳＷのソース電極が対応する画素電極ＰＥと接続され、当該画素スイッチＳＷのドレイン電極が対応する信号線Ｓと接続される構成であってもよい。
【００１８】
また、表示パネルＰＮＬには、複数の表示画素ＰＸを駆動するためにゲートドライバＧＤ及びソースドライバＳＤが設けられている。複数の走査線Ｇは、ゲートドライバＧＤの出力端子と電気的に接続されている。複数の信号線Ｓは、ソースドライバＳＤの出力端子と電気的に接続されている。
【００１９】
ゲートドライバＧＤは、複数の走査線Ｇにオン電圧を順次印加して、選択された走査線Ｇに電気的に接続された画素スイッチＳＷのゲート電極にオン電圧を供給する。ゲート電極にオン電圧が供給された場合、画素スイッチＳＷのソース電極−ドレイン電極間が導通する。
【００２０】
ソースドライバＳＤは、複数の信号線Ｓのそれぞれに対応する出力信号を供給する。信号線Ｓに供給された信号は、ソース電極−ドレイン電極間が導通した画素スイッチＳＷを介して、対応する画素電極ＰＥに印加される。
更に、表示パネルＰＮＬは、共通電極ドライバＣＤを備える。共通電極ドライバＣＤは、表示装置ＤＳＰの共通電極ＣＯＭＥに駆動信号を供給する（駆動電圧を印加する）回路である。共通電極ＣＯＭＥについては後述するが、上記した画素電極ＰＥ及び共通電極ＣＯＭＥは、絶縁膜を介して対向配置されている。画素電極ＰＥ、共通電極ＣＯＭＥ及び絶縁膜は、保持容量ＣＳを形成する。
【００２１】
なお、ゲートドライバＧＤ、ソースドライバＳＤ及び共通電極ドライバＣＤは、表示パネルＰＮＬの周囲の領域（額縁）に配置され、上記したパネルドライバＩＣ１によって制御される。更に、パネルドライバＩＣ１は、バックライトユニットＢＬの動作を制御する。
【００２２】
図２においては、１つのゲートドライバＧＤのみが示されているが、表示パネルＰＮＬは、複数（例えば、２つ）のゲートドライバＧＤを備える構成であってもよい。２つのゲートドライバを備える構成の場合、例えば複数の走査線Ｇのうち、一方のゲートドライバが走査線Ｇ１、Ｇ３、…、Ｇｍ−１と接続され、他の方のゲートドライバが走査線Ｇ２、Ｇ４、…、Ｇｍと接続されるように構成される。なお、２つのゲートドライバは、例えば複数の表示画素ＰＸを挟んで対向するように配置される。
【００２３】
図３は、表示装置ＤＳＰの断面構造を模式的に示す図（断面図）である。表示装置ＤＳＰは、表示パネルＰＮＬ、バックライトユニットＢＬ、第１光学素子ＯＤ１及び第２光学素子ＯＤ２を備える。
なお、図３において、表示パネルＰＮＬは、表示モードとしてＦＦＳ（Fringe Field Switching）モードに対応した構成を有しているが、他の表示モードに対応した構成を有していてもよい。
【００２４】
表示パネルＰＮＬは、上述したように第１基板ＳＵＢ１、第２基板ＳＵＢ２及び液晶層ＬＱを備える。第１基板ＳＵＢ１と第２基板ＳＵＢ２とは、所定のセルギャップを形成した状態で貼り合わされている。液晶層ＬＱは、第１基板ＳＵＢ１と第２基板ＳＵＢ２との間のセルギャップに保持されている。
【００２５】
第１基板ＳＵＢ１は、ガラス基板や樹脂基板等の光透過性を有する第１絶縁基板１０を用いて形成されている。第１基板ＳＵＢ１は、第１絶縁基板１０の第２基板ＳＵＢ２に対向する側に、信号線Ｓ、共通電極ＣＯＭＥ、画素電極ＰＥ、第１絶縁膜１１、第２絶縁膜１２、第３絶縁膜１３及び第１配向膜ＡＬ１等を備える。
【００２６】
ここで、画素電極ＰＥ及び共通電極ＣＯＭＥは上記した液晶層ＬＱの画素領域とともに表示画素ＰＸを構成し、当該表示画素ＰＸは、図２において説明したように表示パネルＰＮＬにマトリクス状に配置される。
【００２７】
第１絶縁膜１１は、第１絶縁基板１０の上に配置されている。また、信号線Ｓは、第１絶縁膜１１の上に形成されている。図３に示す例では、信号線Ｓは、Ｙ方向に延出している。
なお、図示されていないが、第１絶縁基板１０と第１絶縁膜１１との間には、走査線Ｇ、スイッチング素子（画素スイッチＳＷ）のゲート電極及び半導体層等が配置されている。更に、スイッチング素子のソース電極及びドレイン電極等も第１絶縁膜１１の上に形成されている。
【００２８】
第２絶縁膜１２は、信号線Ｓ及び第１絶縁膜１１の上に配置されている。共通電極ＣＯＭＥは、第２絶縁膜１２の上に形成されている。共通電極ＣＯＭＥは、複数のセグメントによって構成されている。共通電極ＣＯＭＥの各セグメントは、それぞれＸ方向に延出し、所定の間隔でＹ方向に配列されている。共通電極ＣＯＭＥは、ＩＴＯ（インジウム・ティン・オキサイド）またはＩＺＯ（インジウム・ジンク・オキサイド）等の透明な導電材料によって形成されている。図３に示す例では、共通電極ＣＯＭＥの上に金属層ＭＬが形成され、当該共通電極ＣＯＭＥが低抵抗化されている。なお、金属層ＭＬは省略されても構わない。
【００２９】
第３絶縁膜１３は、共通電極ＣＯＭＥ及び第２絶縁膜１２の上に配置されている。画素電極ＰＥは、第３絶縁膜１３の上に形成されている。各画素電極ＰＥは、隣接する信号線Ｓの間にそれぞれ位置し、共通電極ＣＯＭＥと対向している。また、各画素電極ＰＥは、共通電極ＣＯＭＥと対応する位置にスリットＳＬを有している。このような画素電極ＰＥは、例えばＩＴＯまたはＩＺＯ等の透明な導電材料によって形成されている。第１配向膜ＡＬ１は、画素電極ＰＥ及び第３絶縁膜１３を覆っている。
【００３０】
一方、第２基板ＳＵＢ２は、ガラス基板または樹脂基板等の光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ及び第２配向膜ＡＬ２等を備える。
【００３１】
ブラックマトリクスＢＭは、第２絶縁基板２０の内面に形成され、各画素を区画している。カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
なお、カラーフィルタ及びブラックマトリクス等は、第１絶縁基板１０上に形成されていてもよい。また、カラーフィルタは、例えば画素電極ＰＥの上に積層されてもよい。
【００３２】
タッチ検出電極Ｒｘは、第２絶縁基板２０の外面に形成されている。このタッチ検出電極Ｒｘは島状に形成されているが、ここでは便宜的にリード線については省略されている。タッチ検出電極Ｒｘは、例えば、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）等の金属材料や、これらの金属材料を組み合わせた合金や、ＩＴＯやＩＺＯ等の透明導電材料や、導電性の有機材料や、微細な導電性物質の分散体等によって形成されている。また、タッチ検出電極Ｒｘは、上記の材料からなる単層体であってもよいし、積層体であってもよい。積層体の一例では、タッチ検出電極Ｒｘは、上記の金属材料からなる金属細線と、透明導電材料とを備えた構成が挙げられる。タッチ検出電極Ｒｘに金属材料を用いる場合は、メッシュ加工を施してもよいし、黒色材料でメッキ加工する等の不可視化処理をするとよりよい。
【００３３】
バックライトユニットＢＬは、上記したように表示パネルＰＮＬの背面側に配置されている。第１光学素子ＯＤ１は、第１絶縁基板１０とバックライトユニットＢＬとの間に配置されている。第２光学素子ＯＤ２は、タッチ検出電極Ｒｘの上に配置されている。第１光学素子ＯＤ１及び第２光学素子ＯＤ２は、それぞれ少なくとも偏光板を含む。また、第１光学素子ＯＤ１及び第２光学素子ＯＤ２は、必要に応じて位相差板を含む構成であってもよい。
【００３４】
図４は、上記したタッチ検出機構ＳＥの基本動作を説明するための図である。図４は、ミューチュアル（相互容量）検出方式のタッチ検出機構ＳＥを示す。なお、タッチ検出機構ＳＥのタッチ検出の方式は、例えばセルフ検出方式等の他の検出方式であっても構わない。
【００３５】
ミューチュアル検出方式のタッチ検出機構ＳＥにおいては、第２基板ＳＵＢ２に例えばＹ方向にストライプ状に形成されるタッチ検出電極（検出素子）Ｒｘと、第１基板ＳＵＢ１にＸ方向にストライプ状に形成される駆動電極Ｔｘとが形成されている。すなわち、タッチ検出電極Ｒｘと駆動電極Ｔｘとは、互いに交差する関係である。この駆動電極Ｔｘとしては、上述した画像表示用の共通電極ＣＯＭＥが用いられる。
なお、タッチ検出電極ＲｘがＸ方向にストライプ状に形成され、駆動電極ＴｘがＹ方向にストライプ状に形成されてもよい。
【００３６】
このような構成によれば、後述するタッチ検出期間においては、駆動電極Ｔｘとして用いられる共通電極ＣＯＭＥが順次高周波パルスの駆動信号（タッチ駆動信号）Ｔｘｓにより駆動される。この場合、例えば被検出物（外部近接物体）が近接しているタッチ検出電極Ｒｘからは、他のタッチ検出電極Ｒｘからの出力に比べて、レベルの低いタッチ検出信号Ｒｘｓが検出される。これは、被検出物が近接しているタッチ検出電極Ｒｘと共通電極ＣＯＭＥとの間に生じている第１容量に加えて、当該タッチ検出電極Ｒｘと共通電極ＣＯＭＥとの間に第２容量が発生しているためである。すなわち、タッチ検出電極Ｒｘは、外部近接物体に応じた静電量の変化に基づくタッチ検出信号Ｒｘｓを出力することができる。
【００３７】
タッチ検出機構ＳＥによれば、上記の駆動電極Ｔｘとしての共通電極ＣＯＭＥの駆動タイミングと、レベルの低い検出信号Ｒｘｓを出力したタッチ検出電極Ｒｘの位置とから、被検出物の座標位置を判定することができる。
【００３８】
図５は、上記した共通電極ＣＯＭＥ（駆動電極Ｔｘ）とタッチ検出電極Ｒｘとの構成例を説明するための図である。
本実施形態に係る表示装置ＤＳＰにおいては、パネルドライバＩＣ１（ＤＤＩ）とタッチドライバＩＣ２（ＴＰＩＣ）とが協働することにより、共通電極ＣＯＭＥには駆動パルスＴＳＶＣＯＭ（タッチ駆動信号Ｔｘｓ）が入力され、タッチ検出電極Ｒｘから検出パルス（タッチ検出信号Ｒｘｓ）が得られる。また、タッチドライバＩＣ２は、駆動パルスＴＳＶＣＯＭを入力した共通電極ＣＯＭＥの位置と、検出パルスの波形とから被検出物の接触位置を把握する。なお、接触位置（タッチ位置）の算出は、図示しない外部装置（例えば、ホスト装置ＨＯＳ）によって行われても構わない。パネルドライバＩＣ１とタッチドライバＩＣ２との授受信号の詳細については後述する。
【００３９】
次に、図６を参照して、表示装置ＤＳＰにおける表示期間とタッチ検出期間との関係について説明する。
本実施形態において、表示期間は、表示パネルＰＮＬにおける画像の表示動作（ゲートドライバＧＤ及びソースドライバＳＤによる表示画素ＰＸに対する駆動動作）が実行される期間を含む。一方、タッチ検出期間は、上記した共通電極ＣＯＭＥ（駆動電極Ｔｘ）にタッチ駆動信号Ｔｘｓを供給してタッチ検出信号Ｒｘｓを検出するタッチ検出動作が実行される期間を含む。
【００４０】
ここで、上記したようにタッチ検出期間においてタッチ駆動信号Ｔｘｓが供給される駆動電極Ｔｘとしては、複数のストライプ状の共通電極ＣＯＭＥが用いられる。すなわち、画像表示に使用される共通電極ＣＯＭＥがタッチ検出用の駆動電極Ｔｘとしても利用されるため、本実施形態においては表示動作とタッチ検出動作とがタイムシェアリングにより行われる。
【００４１】
具体的には、図６に示すように、上記した表示動作によって１フレームの画像が表示される期間（以下、１フレーム期間と表記）は、複数のユニットで構成される。１ユニット内は、上記した表示期間及びタッチ検出期間に分割される。すなわち、１ユニット内の期間においては、ＲＧＢの３色のうちの１つを選択する信号（ＳＥＬＲ／Ｇ／Ｂ）に対応して色毎の画素信号（ＳＩＧｎ）を出力する動作（表示動作）が表示期間において複数の表示行（ライン）について実行された後、駆動電極Ｔｘとしての共通電極ＣＯＭＥにタッチ駆動信号Ｔｘを供給する動作（タッチ検出動作）がタッチ検出期間において実行される。上記したように１フレーム期間は複数のユニットから構成されているため、当該１フレーム期間においては、表示期間とタッチ検出期間とが交互に繰り返される。
なお、本実施形態における表示動作及びタッチ検出動作に関する制御は、パネルドライバＩＣ１によって実行される。
【００４２】
図７は、主としてパネルドライバＩＣ１の内部の回路構成の一例を示す。図７に示すように、パネルドラバＩＣ１は、インタフェース（Ｉ／Ｆ）回路１０１、データ処理回路１０２、ビデオメモリ１０３、表示用ラインデータラッチ回路１０４、ソース増幅器１０５、内部発振器１０６、タイミングコントローラ１０７、表示駆動回路１０８及びタッチ駆動回路１０９を備える。
【００４３】
なお、上記したようにパネルドライバＩＣ１はホスト装置ＨＯＳと接続されている。ホスト装置ＨＯＳは、画素データ及び同期信号等を出力する。ホスト装置ＨＯＳから出力された画素データ及び同期信号は、インタフェース回路１０１によって受け取られる。
【００４４】
インタフェース回路１０１によって受け取られた画素データは、データ処理回路１０２に入力される。データ処理回路１０２は、表示パネルＰＮＬによる表示に適合するように、入力された画素データの補間処理及び合成処理等を実行する。
データ処理回路１０２によって補間処理及び合成処理が実行された画素データ（つまり、データ処理回路１０２から出力された画素データ）は、ビデオメモリ１０３に書き込まれる。なお、ビデオメモリ１０３には、例えば１フレームの画像全体（の画素データ）を格納可能であるものとする。ビデオメモリ１０３としては、例えばＳＲＡＭ及びＤＲＡＭ等を利用することができる。
【００４５】
表示用ラインデータラッチ回路１０４は、ビデオメモリ１０３に書き込まれた画素データをラッチする。表示用ラインデータラッチ回路１０４にラッチされた画素データは、ソース増幅器１０５でアナログ変換されて画素信号となる。この画素信号は、ガンマ補正されて、表示パネルＰＮＬに供給される。画素信号は、信号線Ｓ（例えば、Ｓ１〜Ｓ１０８０）を介してゲートが開いている表示画素（つまり、画素スイッチＳＷのゲート電極にオン電圧が供給されている画素）ＰＸに書き込まれる。これにより、表示パネルＰＮＬにおける画像の表示動作が行われる。
【００４６】
タイミングコントローラ１０７は、例えばホスト装置ＨＯＳから受けたコマンドに基づいて、パネルドライバＩＣ１内部の全ての回路ブロック全体を同期させて動作させる。
タイミングコントローラ１０７は、内部発振器１０６から基本クロックを受ける。タイミングコントローラ１０７は、基本クロックに基づいて、各種のタイミング信号を生成する。また、タイミングコントローラ１０７は、内部発振器１０６の発振周波数の増加または低下等を制御することも可能である。
【００４７】
タイミングコントローラ１０７は、位相制御回路を含み、内部発振器１０６のクロック（内部クロック）位相と外部（ホスト装置ＨＯＳ）の同期信号の位相との関係を所定の関係に制御して維持する。タイミングコントローラ１０７は、内部クロックに基づいて、画素信号を書き込むタイミング信号（垂直同期信号及び水平同期信号）を生成する。この場合、タイミングコントローラ１０７は、内部の垂直同期パルス及び水平同期パルスを生成する。
【００４８】
タイミングコントローラ１０７によって生成されるタイミング信号は、例えば表示駆動回路１０８及びタッチ駆動回路１０９に供給される。なお、タイミングコントローラ１０７は、インタフェース回路１０１、データ処理回路１０２、ビデオメモリ１０３、表示用ラインデータラッチ回路１０４及びソース増幅器１０５の各々に対しても各種タイミング信号を生成して供給する。
【００４９】
これにより、タイミングコントローラ１０７は、上記したようにパネルドライバＩＣ１内部の各ブロックを統一して制御することが可能となる。
表示駆動回路１０８は、タイミングコントローラ１０７からのタイミング信号に基づいて、ソースドライバ（ソース選択回路）ＳＤ及びゲートドライバＧＤを制御し、画素信号を書き込むライン（に対応する表示画素ＰＸ）を指定することができる。
【００５０】
タッチ駆動回路１０９は、タッチ検出動作に関するタイミング信号として垂直同期信号及び水平同期信号をタッチドライバＩＣ２に出力する。また、タッチ駆動回路１０９は、上述した駆動信号Ｔｘｓを、割り当てられた時間（つまり、タッチ検出期間）に、共通電極ＣＯＭＥに供給する。これにより、タッチ検出信号Ｒｘｓがタッチ検出電極Ｒｘから出力される。
【００５１】
ここで、タッチドライバＩＣ２は、タッチ検出電極Ｒｘから出力されたタッチ検出信号Ｒｘｓがタッチ検出電極Ｒｘから入力される。タッチドライバＩＣ２は、駆動信号Ｔｘｓの駆動タイミングとタッチ検出信号Ｒｘｓの検出タイミングとの時間的関連性に基づきタッチ位置を検出（判別）する。タッチ位置の検出結果は、ホスト装置ＨＯＳに出力される。この場合、ホスト装置ＨＯＳは、タッチドライバＩＣ２によって出力されたタッチ位置の検出結果に基づいて、各種処理（プログラミング動作）を実行する。
【００５２】
また、タッチドライバＩＣ２は、タッチ検出周波数の切り替え信号をタイミングコントローラ１０７に与えることができる。なお、本実施形態に係る表示装置ＤＳＰの通常駆動時においては、当該表示装置ＤＳＰにおける表示駆動周波数（リフレッシュレート）及びタッチ検出周波数は例えば６０Ｈｚであるものとする。表示駆動周波数は、垂直同期周波数に相当し、表示パネルＰＮＬにおける表示動作によって単位時間に書き換えられるフレーム数を表す。タッチ検出周波数は、表示面（タッチ操作面）を走査する周波数であり、タッチ検出機構ＳＥを形成する複数の駆動電極Ｔｘ（共通電極ＣＯＭＥ）の駆動周波数（タッチ駆動信号Ｔｘｓの周波数）を表す。
【００５３】
タッチドライバＩＣ２は、例えば上記した通常駆動時よりもタッチ検出感度を向上させる場合には、タッチ検出周波数を１２０Ｈｚとする切り替え信号をタイミングコントローラ１０７に与えることができる。なお、タッチ検出周波数を切り替える条件については、表示装置ＤＳＰにおいて予め設定されていればよい。
【００５４】
次に、本実施形態に係る表示装置ＤＳＰの動作の概要について説明する。本実施形態において、表示装置ＤＳＰは、複数の駆動モード（駆動状態）で駆動することができるものとする。この複数の駆動モードには、少なくとも通常駆動モード（第１の駆動モード）及び低速駆動モード（第２の駆動モード）が含まれるものとする。通常駆動モードは、通常駆動時の表示駆動周波数（例えば、６０Ｈｚ）で表示装置ＤＳＰを駆動するための駆動モードである。一方、低速駆動モードは、通常駆動時の表示駆動周波数よりも低い表示駆動周波数（例えば、３０Ｈｚ）で表示装置ＤＳＰを駆動（つまり、低周波駆動）するための駆動モードである。
このような表示装置ＤＳＰにおいては、例えば通常駆動モードから低速駆動モードに動的に切り替えることによって省電力化を図る（消費電力を低減させる）ことが可能である。
【００５５】
この通常駆動モードから低速駆動モードへの切り替えは、例えば上記したビデオメモリ１０３に書き込まれる画素データ等に基づいて、パネルドライバＩＣ１（に備えられるタイミングコントローラ１０７）によって行われるものとする。具体的には、例えば表示装置ＤＳＰ（の表示パネルＰＮＬ）においてホーム画面が表示されている、または同じ写真が表示されていることにより画面（画像）の書き換えがない場合（つまり、予め定められた期間内にホスト装置ＨＯＳからの画素データがビデオメモリ１０３に書き込まれない場合）には、表示装置ＤＳＰを低速駆動モードで駆動しても画質の低下等の影響が少ない。このような場合には、パネルドライバＩＣ１は、表示装置ＤＳＰの駆動モードを通常駆動モードから低速駆動モードに切り替えることができる。
【００５６】
ここで、図８を参照して、通常駆動モード時の１フレーム期間における表示期間、タッチ検出期間及び表示調整期間の配置について説明する。図８においては、表示動作が実行される表示期間をＤＩＳ、タッチ検出動作が実行されるタッチ検出期間をＴとして示している。
【００５７】
図８に示すようにパネルドライバＩＣ１において表示用の垂直同期信号ＶＳＹＮＣが入力されると、垂直バックポーチ期間ＢＰを経て、表示動作及びタッチ検出動作が実行される。なお、垂直バックポーチ期間ＢＰは、１フレーム期間（垂直同期時間）の開始から１フレームの画像の最初のラインにデータ（画素信号）が書き込まれるまでの期間に相当する。この垂直バックポーチ期間ＢＰにおいては、所定のライン数が駆動される。
【００５８】
ここで、表示期間ＤＩＳ及びタッチ検出期間Ｔは、上記したユニットの単位で管理される。１ユニットには１つの表示期間ＤＩＳ及び１つのタッチ検出期間Ｔが含まれており、１フレーム期間には複数のユニットが設定されている。これによれば、１フレーム期間においては、表示動作及びタッチ検出動作が繰り返し実行される（つまり、表示期間ＤＩＳ及びタッチ検出期間Ｔは重複せず、交互に配置されている）。
【００５９】
なお、本実施形態において、１ユニット内の表示期間中に画素信号が書き込まれる表示ライン数（以下、１ユニット表示ライン数と表記）は例えばレジスタに予め設定されているものとする。これにより、１つのユニットに含まれる表示期間ＤＩＳにおいては、レジスタに設定されている１ユニット表示ライン数のラインが駆動されることによって、当該ラインに対応する表示画素ＰＸに対して画素信号が書き込まれる（つまり、表示動作が実行される）。一方、１つのユニットに含まれるタッチ検出期間Ｔにおいては、同様に例えば予め設定されている数の駆動電極Ｔｘとして用いられる共通電極ＣＯＭＥが駆動され、タッチ検出電極Ｒｘからタッチ検出信号Ｒｘｓが出力される（つまり、タッチ検出動作が実行される）。
【００６０】
ここで、１フレームの画面を表示する表示動作の周期は１フレーム期間に相当し、１ユニット表示ライン数及びユニット数は、当該１フレーム期間内に１フレームの画面（画像）を表示することが可能なように設定されている。一方、タッチ検出動作の周期（タッチ検出機構ＳＥに備えられる複数の駆動電極Ｔｘにタッチ駆動信号Ｔｘｓを供給する周期）は、例えば当該タッチ検出動作の周期の整数倍、例えば１周期または２周期が表示動作の周期（１フレーム期間）と一致するように制御される。
【００６１】
１フレーム期間における表示動作及びタッチ検出動作（の繰り返し）は、表示動作によって画素信号が書き込まれたライン数が最大表示ライン数に達した時点で終了される。最大表示ライン数は、１フレームの画像において画素信号が書き込まれるライン数である。なお、最後のユニット（に含まれる表示期間）には余りの表示ライン数（最大表示ライン数を１ユニット表示ライン数で除算した際の余り）が割り当てられるため、当該最後のユニット（図８に示すユニットｎ＋３）の表示ライン数は１ユニット表示ライン数よりも小さい値となる。１フレーム期間における表示動作及びタッチ検出動作が終了されると、垂直フロントポーチ期間ＦＰを経て、上記した１フレーム期間における動作が繰り返し実行される。なお、垂直フロントポーチ期間ＦＰは、１フレームの画像の最後のラインにデータ（画素信号）が書き込まれてから次の垂直同期信号ＶＳＹＮＣが入力されるまでの期間に相当する。この垂直フロントポーチ期間ＦＰにおいては、所定のライン数が駆動される。
【００６２】
上記した垂直バックポーチ期間ＢＰ及び垂直フロントポーチ期間ＦＰは、表示調整期間と称される。この表示調整期間は、例えば極性反転の準備期間、内部画像処理の演算期間、データの読み出し及びゲートドライバ（スキャナ）の追い出し等の役割を担っている。また、垂直バックポーチ期間ＢＰ及び垂直フロントポーチ期間ＦＰにおいて駆動されるラインの数は、例えば表示パネルＰＮＬの仕様によって定められている。
【００６３】
ここで、本実施形態においては、表示装置ＤＳＰを上記した低速駆動モードで駆動する場合、フレームの最初の画素行に画素データを書き始める時点と、フレームの最後の画素行に画素データを書き終える時点との差が、低速駆動モードで駆動する場合も通常駆動モードで駆動する場合も、一定時間となるようにするものとする。すなわち、本実施形態においては、低速駆動モード時であっても各ユニットに含まれる表示期間ＤＩＳ及びタッチ検出期間Ｔの長さは通常駆動モード時と同一とする構成を採用するものとする。
【００６４】
なお、上記したように低速駆動モード時の１フレーム期間は通常駆動モード時の１フレーム期間と比較して長くなるが、当該通常駆動モード時の１フレーム期間との差分については表示調整期間を長くすることによって対応する。この表示調整期間は、画像の表示の極性を反転する垂直バックポーチ期間ＢＰと、表示期間及びタッチ検出期間の後に設けられている垂直フロントポーチ期間ＦＰとを含む。低速駆動モード時においては垂直バックポーチ期間ＢＰ及び垂直フロントポーチ期間ＦＰのいずれを長くしてもよいが、本実施形態においては垂直フロントポーチ期間ＦＰを長くする（延長する）ものとして説明する。
【００６５】
次に、図９を参照して、低速駆動モード時の１フレーム期間における表示期間、タッチ検出期間及び表示調整期間の配置について説明する。
図９に示すように、低速駆動モード時における垂直バックポーチ期間ＢＰ及び各ユニット（表示期間ＤＩＳ及びタッチ検出期間Ｔ）は図８に示す通常駆動時と同様であるが、垂直フロントポーチ期間ＦＰ´は、通常駆動モード時の垂直フロントポーチ期間ＦＰと比較して長くなっている。
【００６６】
ところで、例えば表示装置ＤＳＰが低速駆動モードで駆動している際にホスト装置ＨＯＳから出力された画素データがパネルドライバＩＣ（に備えられるインタフェース回路１０１）おいて受け取られた場合には、当該画素データに基づく画面の書き換えが必要であるため、速やかに低速駆動モードから通常駆動モードに復帰することが好ましい。なお、低速駆動モードから通常駆動モードへの復帰は、当該低速駆動モード時の１フレーム期間の終了後（つまり、次の１フレーム期間への遷移時）に行われるのが一般的である。
【００６７】
ここで、画素データを出力するホスト装置ＨＯＳが表示装置ＤＳＰの駆動モード（通常駆動モードまたは低速駆動モード）を把握していない場合がある。このような場合、画素データは、表示装置ＤＳＰ（に備えられる表示パネルＰＮＬ）内部の同期信号ＶＳＹＮＣ（つまり、１フレーム周期）等とは関係のない任意のタイミングでホスト装置ＨＯＳから出力される。これによれば、ホスト装置ＨＯＳから出力される画素データは例えば低速駆動モード時の１フレーム期間の途中で受け取られる場合があるが、この場合には当該１フレーム期間が終了した後でなければ通常駆動モードに復帰する（切り替える）ことができず、画面を書き換えることもできない。上記したように低速駆動モード時の１フレーム期間は通常駆動モード時よりも長いため、１フレーム期間が終了するまで（つまり、次の１フレーム期間に遷移するまで）の待機時間が長くなり、新しい画面の表示（更新）に遅延等が生じることとなる。
【００６８】
例えば、通常駆動モードでのフレーム周波数が６０Ｈｚで、低速駆動モードでのフレーム周波数が５Ｈｚ（＝６０Ｈｚの（１／１２））であるとする。表示装置ＤＳＰが仮に低速駆動モードで動作しているとき、フレームの先頭でホスト装置ＨＯＳからの画素データが受け取られた場合、通常駆動モードのフレームレート換算で、最大１２フレーム分も待った後、通常駆動モードに切り替わることになる。
【００６９】
そこで、本実施形態に係る表示装置ＤＳＰに備えられるパネルドライバＩＣ１は、例えば低速駆動モード時の１フレーム期間中にホスト装置ＨＯＳから出力された画素データを切替信号（低速駆動モードを通常駆動モードに切り替えるための信号）として利用し、表示装置ＤＳＰの駆動モードを適切に切り替える機能を有するものとする。
【００７０】
図１０は、上記したパネルドライバＩＣ１の機能を実現するためのタイミングコントローラ１０７の構成の一例を示す。
図１０に示すように、タイミングコントローラ１０７は、カウンタ回路１０７ａ及びリセット回路１０７ｂを含む。
【００７１】
カウンタ回路１０７ａは、内部発振器１０６のクロックに基づいて、主に１フレーム期間（に含まれる表示期間、タッチ検出期間及び表示調整期間）の経過をカウントするための回路である。このカウンタ回路１０７ａによれば、例えば１フレーム期間に含まれる各表示期間において画素信号が書き込まれた表示ライン数等を管理することができる。カウンタ回路１０７ａによってカウントされた値（以下、カウンタ値と表記）は、上記したタイミング信号として、パネルドライバＩＣ１内の各コンポーネントに出力される。
リセット回路１０７ｂは、カウンタ回路１０７ａによるカウントをリセットするための回路である。リセット回路１０７ｂは、カウンタ回路１０７ａによるカウンタ値を取得する。リセット回路１０７ｂは、カウンタ回路１０７ａから取得されるカウンタ値が現在の駆動モードに応じた１フレーム期間の経過に対応する値に達した場合に、当該カウンタ回路１０７ａによるカウントをリセットする。これにより、カウンタ回路１０７ａは、１フレーム期間の経過を繰り返しカウントすることができる。
【００７２】
ここで、例えば表示装置ＤＳＰの低速駆動モード時にホスト装置ＨＯＳから画素データが出力された場合、上記したデータ処理回路１０２（コマンドレジスタ）は、上記した補間処理及び合成処理等が実行された画素データをビデオメモリ１０３に書き込むとともに、当該画素データがビデオメモリ１０３に書き込まれたことを表すコマンド（以下、ＲＡＭＷＲコマンドと表記）をタイミングコントローラ１０７に出力する。なお、このＲＡＭＷＲコマンドは、上記した表示装置ＤＳＰの駆動モードを低速駆動モードから通常駆動モードに切り替える（復帰させる）ための切替信号に相当する。
【００７３】
このようにデータ処理回路１０２からＲＡＭＷＲコマンドが出力された場合、リセット回路１０７ｂは、カウンタ回路１０７ａによるカウンタ値に基づいて１フレーム期間中の表示期間が終了している（つまり、カウンタ値が上記した最大表示ライン数に対応する値に達している）か否かを判定する。
【００７４】
リセット回路１０７ｂは、１フレーム期間中の表示期間が終了していると判定された場合、ホスト装置ＨＯＳから出力された画素データに基づく画像（つまり、次の画像）を表示するための準備期間が経過した後に、カウンタ回路１０７ａによるカウンタ値をリセットする。
【００７５】
一方、リセット回路１０７ｂは、１フレーム期間中の表示期間が終了していないと判定された場合、当該表示期間が終了した後に、カウンタ回路１０７ａによるカウンタ値をリセットする。
このようなタイミングコントローラ１０７の構成によれば、ＲＡＭＷＲコマンド（切替信号）に基づいてカウンタ値をリセットすることにより、低速駆動モード時の１フレーム期間を短縮することができる。これにより低速駆動モード時の１フレーム期間が終了した後は、表示装置ＤＳＰの駆動モードを低速駆動モードから通常駆動モードに切り替えて、次の１フレーム期間を開始することができる。
【００７６】
次に、図１１のフローチャートを参照して、上記した図１０に示すタイミングコントローラ１０７の動作の概要について説明する。
ここでは、タイミングコントローラ１０７に含まれるカウンタ回路１０７ａは、１フレーム期間の経過をカウントしているものとする。
【００７７】
また、上記したようにビデオメモリ１０３に画素データが書き込まれる場合、データ処理回路１０２は、ＲＡＭＷＲコマンドを出力する。データ処理回路１０２によって出力されたＲＡＭＷＲコマンドは、タイミングコントローラ１０７において受信される。
【００７８】
タイミングコントローラ１０７に含まれるリセット回路１０７ｂは、上記したようにデータ処理回路１０２によって出力されたＲＡＭＷＲコマンドがタイミングコントローラ１０７において受信されたか否かを判定する（ステップＳ１）。
ＲＡＭＷＲコマンドが受信されていないと判定された場合（ステップＳ１のＮＯ）、リセット回路１０７ｂは、通常の動作（つまり、現在の駆動モードでの駆動）を継続する。
【００７９】
具体的には、表示装置ＤＳＰが通常駆動モードで駆動している場合には、リセット回路１０７ｂは、カウンタ回路１０７ａによるカウンタ値に基づいて通常駆動モード時の１フレーム期間「垂直バックポーチ期間（ＢＰ）＋スキャン期間（ＤＩＳ＿Ｔ）＋垂直フロントポーチ期間（ＦＰ）」が終了したと判定される場合に当該カウンタ値をリセットする。なお、「スキャン期間（ＤＩＳ＿Ｔ）」は、上記した１フレーム期間において表示動作及びタッチ検出動作が繰り返し実行される期間（つまり、表示動作及びタッチ検出動作の開始から終了までの期間）である。
【００８０】
また、表示装置ＤＳＰが低速駆動モードで駆動している場合には、リセット回路１０７ｂは、カウンタ回路１０７ａによるカウンタ値に基づいて低速駆動モード時の１フレーム期間「垂直バックポーチ期間（ＢＰ）＋スキャン期間（ＤＩＳ＿Ｔ）＋垂直フロントポーチ期間（ＦＰ´）」が終了したと判定される場合に当該カウンタ値をリセットする。なお、「垂直フロントポーチ期間（ＦＰ´）」は、上述したように通常駆動モード時の垂直フロントポーチ期間（ＦＰ）を延長した低速駆動モード時における垂直フロントポーチ期間である。
【００８１】
一方、上記したステップＳ１においてＲＡＭＷＲコマンドが受信されたと判定された場合（ステップＳ１のＹＥＳ）、表示装置ＤＳＰが通常駆動モードで駆動している（つまり、表示装置ＤＳＰの駆動モードが通常駆動モードである）か否かが判定される（ステップＳ２）。なお、表示装置ＤＳＰの駆動モードは、例えばタイミングコントローラ１０７内で設定（管理）されているものとする。
【００８２】
表示装置ＤＳＰが通常駆動モードで駆動していると判定された場合（ステップＳ２のＹＥＳ）、リセット回路１０７ｂは、カウンタ回路１０７ａによるカウンタ値に基づいて通常駆動モード時の１フレーム期間「垂直バックポーチ期間（ＢＰ）＋スキャン期間（ＤＩＳ＿Ｔ）＋垂直フロントポーチ期間（ＦＰ）」が終了したと判定される場合に当該カウンタ値をリセットする。
【００８３】
一方、表示装置ＤＳＰが通常駆動モードで駆動していない（つまり、低速駆動モードで駆動している）と判定された場合（ステップＳ２のＮＯ）、リセット回路１０７ｂは、カウンタ回路１０７ａによるカウンタ値に基づいて、現在の１フレーム期間（低速駆動モード時の１フレーム期間）においてスキャン期間（ＤＩＳ＿Ｔ）が終了しているか否かを判定する（ステップＳ３）。
【００８４】
スキャン期間が終了していると判定された場合（ステップＳ３のＹＥＳ）、リセット回路１０７ｂは、カウンタ回路１０７ａによるカウンタ値を参照し、当該カウンタ回路１０７ａによって所定期間の経過がカウントされた後に当該カウンタ値をリセットする。換言すれば、リセット回路１０７ｂは、カウンタ回路１０７ａによるカウンタ値が、「現在のカウンタ値＋ＦＰ＿ＲＡＭＷＲ」に到達した場合に当該カウンタ値をリセットする。なお、「ＦＰ＿ＲＡＭＷＲ」は、例えば次の１フレーム期間における表示動作及びタッチ検出動作のための準備期間に相当する期間の経過をカウントするためのカウンタ値を表す。この「ＦＰ＿ＲＡＭＷＲ」としては、例えば数ラインにデータが書き込まれる程度の期間を準備期間として確保することができるような値が予め設定されているものとする。
【００８５】
一方、スキャン期間が終了していないと判定された場合（ステップＳ３のＮＯ）、リセット回路１０７ｂは、カウンタ回路１０７ａによるカウンタ値に基づいて、「垂直バックポーチ期間（ＢＰ）＋スキャン期間（ＤＩＳ＿Ｔ）＋ＦＰ＿ＲＡＭＷＲ」の期間が終了したと判定される場合に当該カウンタ値をリセットする。
【００８６】
上記した図１０及び図１１の実施形態は、一例であり、通常駆動モード及び低速駆動モードのために表示期間（ＤＩＳ）、タッチ検出期間（Ｔ）、垂直フロントポーチ期間（ＦＰ）及び垂直バックポーチ期間（ＢＰ）などを得るタイミング信号を生成する構成は各種の形態が可能である。またカウンタ回路１０７ａ、リセット回路１０７ｂを示して説明したが、これらの回路は、モード切り替え回路、モード制御回路などと称してもよい。タイミングコントローラ１０７が、データ処理回路１０２からＲＡＭＷＲコマンドを受け取ると説明したが、ホスト装置ＨＯＳからインタフェース回路１０１を介して受け取ってもよい。
【００８７】
次に、図１２〜図１４を参照して、本実施形態における駆動モードの切り替えに応じた１フレーム期間の遷移について具体的に説明する。
図１２は、低速駆動モード時にタイミングコントローラ１０７においてＲＡＭＷＲコマンドが受信されない場合の１フレーム期間の遷移について説明するための図である。
【００８８】
なお、図１２に示すＴＥは、パネルドライバＩＣ１からホスト装置ＨＯＳに入力されるＶＳＹＮＣ信号（マスタ同期信号）である。なお、１フレーム期間においては、ＴＥがローレベルの状態にある場合に表示動作が行われるものとする。
また、図１２に示す「ＲＡＭＷＲコマンド」は、当該ＲＡＭＷＲコマンドがタイミングコントローラ１０７において受信されるタイミングを示している。
【００８９】
更に、図１２に示す「フレーム期間」は、垂直バックポーチ期間、スキャン期間及び垂直フロントポーチ期間を含む１フレーム期間の遷移を示している。なお、例えば図１２の「フレーム期間」における「ＤＩＳ（Ａ）＿Ｔ」は、画像Ａを表示するための表示動作及びタッチ検出動作が繰り返し実行される期間（スキャン期間）を表す。また、「ＤＩＳ（Ｂ）＿Ｔ」は、画像Ｂを表示するための表示動作及びタッチ検出動作が繰り返し実行される期間（スキャン期間）を表す。同様に、後述する「ＤＩＳ（Ｃ）＿Ｔ」は、画像Ｃを表示するための表示動作及びタッチ検出動作が繰り返し実行される期間（スキャン期間）を表す。
【００９０】
また、図１２に示す「駆動モード」は、各フレーム期間における表示装置ＤＳＰの駆動モード（通常駆動モード及び低速駆動モード）を示している。
ここで説明した「ＲＡＭＷＲコマンド」、「フレーム期間」及び「駆動モード」については、以下の図面においても同様である。
【００９１】
図１２に示すように、通常駆動モードで駆動している表示装置ＤＳＰにおいて、例えば「ＤＩＳ（Ａ）＿Ｔ」の期間を含む１フレーム期間Ｆ１中に、画像Ｂに関するＲＡＭＷＲコマンドが受信された（つまり、画像Ｂの画素データがビデオメモリ１０３に書き込まれた）場合を想定する。この場合、１フレーム期間Ｆ１の次の１フレーム期間Ｆ２においては、表示装置ＤＳＰは通常駆動モードで駆動される。
【００９２】
ここで、１フレーム期間Ｆ２中にタイミングコントローラ１０７においてＲＡＭＷＲコマンドが受信されない（つまり、予め定められた期間内にビデオメモリ１０３に画素データが書き込まれない）場合、表示装置ＤＳＰの駆動モードが通常駆動モードから低速駆動モードに切り替えられるものとする。これによれば、１フレーム期間Ｆ２の次の１フレーム期間Ｆ３においては、表示装置ＤＳＰは低速駆動モードで駆動される。
【００９３】
表示装置ＤＳＰが低速駆動モードで駆動する場合、１フレーム期間Ｆ３においては、通常駆動モード時の１フレーム期間Ｆ１及びＦ２の垂直フロントポーチ期間ＦＰがＦＰ´に延長される。図１２に示すように、低速駆動モードで駆動されている間にＲＡＭＷＲコマンドがタイミングコントローラ１０７において受信されない場合には、当該ＲＡＭＷＲコマンドが受信されるまでは１フレーム期間Ｆ３と同様の１フレーム期間（低速駆動時の１フレーム期間）が繰り返される。
【００９４】
次に、図１３及び図１４を参照して、低速駆動モード時にタイミングコントローラ１０７においてＲＡＭＷＲコマンドが受信される場合の１フレーム期間の遷移について説明する。
図１３では、上記した図１２に示す低速駆動モード時の１フレーム期間Ｆ３における垂直フロントポーチ期間ＦＰ´中にＲＡＭＷＲコマンド（ここでは、画像Ｃに関するＲＡＭＷＲコマンド）が受信される場合を想定している。
【００９５】
この場合、図１３に示すように、１フレーム期間Ｆ３における垂直フロントポーチ期間ＦＰ´がＦＰ´´に短縮されて当該１フレーム期間Ｆ３が終了される。この垂直フロントポーチ期間ＦＰ´´は、例えば垂直フロントポーチ期間ＦＰ´の開始時点から、ＲＡＭＷＲコマンドが受信された後に上述した準備期間を含む所定期間が経過した時点までの期間に相当する。
【００９６】
１フレーム期間Ｆ３が終了された後は、画像Ｃを表示するための表示動作及びタッチ検出動作が実行される１フレーム期間Ｆ４に遷移する。なお、この１フレーム期間Ｆ４においては、表示装置ＤＳＰは通常駆動モードで駆動される。
一方、図１４は、上記した図１２に示す低速駆動モード時の１フレーム期間Ｆ３におけるスキャン期間（「ＤＩＳ（Ｂ）＿Ｔ」の期間）中にＲＡＭＷＲコマンド（画像Ｃに関するＲＡＭＷＲコマンド）が受信される場合を想定している。
【００９７】
この場合における１フレーム期間Ｆ３は、図１４に示すように、スキャン期間（「ＤＩＳ（Ｂ）＿Ｔ」の期間）、つまり、表示動作及びタッチ検出動作が終了した後に、例えば表示装置ＤＳＰが通常駆動モードで駆動される際の垂直フロントポーチ期間ＦＰ（短い期間の垂直フロントポート期間ＦＰ）を経て終了される。ここでは、図１４に示す１フレーム期間Ｆ３における垂直フロントポーチ期間ＦＰが上記した「ＦＰ＿ＲＡＭＷＲ」に基づく準備期間に相当する期間であるものとしている。
【００９８】
１フレーム期間Ｆ３が終了された後は、図１３において説明した１フレーム期間Ｆ４に遷移する。
このように、本実施形態においては、表示装置ＤＳＰが低速駆動モードで駆動している間にＲＡＭＷＲコマンドがタイミングコントローラ１０７において受信された場合、低速駆動モード時の１フレーム期間（垂直フロントポート期間ＦＰ´）を短縮して次の１フレーム期間に遷移するとともに、当該次の１フレーム期間においては表示装置ＤＳＰを通常駆動モードに復帰させることができる。
【００９９】
ここでは、低速駆動モード時の垂直フロントポーチ期間ＦＰ´中にタッチ検出動作が実行されないものとして説明したが、当該垂直フロントポーチ期間ＦＰ´は、通常駆動モード時の垂直フロントポーチ期間ＦＰよりも長い。このため、垂直フロントポーチ期間ＦＰ´中にタッチ検出動作が実行されない場合には、当該垂直フロントポーチ期間ＦＰ´においてタッチ操作を検出することができないため、表示装置ＤＳＰにおけるタッチ検出感度が低下する。
【０１００】
そこで、例えばパネルドライバＩＣ１（に含まれるタイミングコントローラ１０７）による制御のもと、低速駆動モード時の１フレーム期間中の垂直フロントポーチ期間ＦＰ´に、駆動電極Ｔｘ（として動作する共通電極ＣＯＭＥ）を駆動してタッチ検出電極Ｒｘがタッチ検出信号Ｒｘｓを出力するタッチ検出動作を行う（つまり、タッチ検出期間Ｔ´が割り当てられる）ような構成とすることも可能である。
【０１０１】
このような構成において、上記した図１３において説明したように１フレーム期間Ｆ３における垂直フロントポーチ期間ＦＰ´中にＲＡＭＷＲコマンドが受信された場合には、当該ＲＡＭＷＲコマンドが受信された際に実行されているタッチ検出動作が完了した後に１フレーム期間Ｆ３が終了されるものとする。なお、タッチ検出動作の完了とは、１周期分のタッチ検出動作（タッチ検出機構ＳＥに備えられる複数の駆動電極Ｔｘにタッチ駆動信号Ｔｘｓを供給する動作）が完了することを意味するものとする。これによれば、垂直フロントポーチ期間ＦＰ´にタッチ検出動作を行う構成であっても、当該タッチ検出動作の完了の後に垂直フロントポーチ期間ＦＰ´を短縮して次の１フレーム期間に遷移することが可能となる。
【０１０２】
以下、本実施形態に係る表示装置ＤＳＰにおける表示動作及びタッチ検出動作に関する各種信号について簡単に説明する。
図１５は、通常駆動モード時の１フレーム期間における各種信号の関係を表すタイミングチャートである。図１５においては上述したユニット等について便宜的に簡略化しているが、１フレーム期間には、垂直バックポーチ期間ＢＰ、各ユニットに含まれる表示期間ＤＩＳ及びタッチ検出期間Ｔが交互に配置されるスキャン期間（ＤＩＳ＿Ｔ）及び垂直フロントポーチ期間ＦＰが含まれる。
【０１０３】
図１５においては、パネルドライバＩＣ１の内部信号として、ＶＳＹＮＣ、ＥＮＡＢＬＥ、ＨＳＹＮＣ及びＤａｔａが示されている。
ＶＳＹＮＣは、１フレーム期間（表示動作の周期）の開始を表す垂直同期信号である。ＥＮＡＢＬＥは、表示画素ＰＸへの画素信号の書き込みが可能であることを示すイネーブル信号である。ＨＳＹＮＣは、１フレームの画面におけるライン毎の表示動作のタイミングを表す水平同期信号である。Ｄａｔａは、ビデオメモリ１０３から読み出される画素データを表している。
【０１０４】
図１５に示すパネルドライバＩＣ１の内部信号によれば、ＶＳＹＮＣが入力された所定期間経過後にイネーブル信号がハイレベルとなり、１フレーム期間中の各表示期間ＤＩＳにおいて、水平同期信号に基づいてビデオメモリ１０３から画素データが読み込まれることが示されている。
【０１０５】
また、図１５には、表示パネルＰＮＬに入力される信号（パネル信号）として、ＶＳＴ、ＶＣＫ、Ｓｎ、ＡＳＷ、ＳＤＳＴ及びＳＤＳＫが示されている。
ＶＳＴはゲート回路スタートパルスであり、ＶＣＫはゲート回路シフトクロック（画像）である。なお、ＶＳＴ及びＶＣＫは、表示パネルＰＮＬに備えられるゲートドライバＧＤを制御するための信号である。Ｓｎは、ソース出力であり、パネルドライバＩＣ１から表示パネルＰＮＬに入力され、信号線Ｓを介して表示画素ＰＸに書き込まれる画素信号を表している。ＡＳＷは、マルチプレクサ制御スイッチであり、例えばＲＧＢを選択する信号を表している。ＳＤＳＴは、タッチ検出（走査）スタートパルス、ＳＤＳＫはタッチ検出（走査）クロックである。ＳＤＳＴ及びＳＤＣＫは、タッチ検出に関する制御信号である。
【０１０６】
このようなパネル信号（ＶＳＴ、ＶＣＫ、Ｓｎ及びＡＳＷ）が図１５に示すようなタイミングで表示パネルＰＮＬに入力されることによって、各表示期間ＤＩＳにおいて、上記した水平同期信号に同期して１ユニット表示ラインに対応する表示画素ＰＸが駆動される（当該表示画素ＰＸに画素信号が書き込まれる）ことが示されている。一方、ＳＤＳＴは上記したタッチ検出動作の周期の開始を示しており、図１５に示す例では、１フレーム期間に２周期分のタッチ検出動作が実行される例を示している。また、ＳＤＣＫは、スキャン期間におけるタッチ検出期間Ｔの配置に応じて入力される。このようなＳＤＳＴ及びＳＤＣＫによれば、当該ＳＤＳＴ及びＳＤＣＫによって選択される駆動電極Ｔｘ（共通電極ＣＯＭＥ）が各タッチ検出期間Ｔにおいて駆動されることが示されている。
【０１０７】
更に、図１５には、タッチドライバＩＣ２に入力される信号（ＴＰＩＣ Ｉ／Ｆ）として、ＴＳＶＤ及びＴＳＨＤが示されている。ＴＳＶＤ及びＴＳＨＤは、パネルドライバＩＣ１とタッチドライバＩＣ２との同期をとるための信号（垂直同期信号及び水平同期信号）である。ＴＳＶＤは、上記したタッチ検出動作の周期の開始に応じて入力される。また、ＴＳＨＤは、スキャン期間におけるタッチ検出期間Ｔに対応するように入力されている。
【０１０８】
タッチドライバＩＣ２は、図１５に示すようなタイミングで入力されるＴＳＶＤ及びＴＳＨＤに基づいて、タッチ検出期間Ｔにおいてタッチ検出電極Ｒｘから出力されたタッチ検出信号Ｒｘｓからタッチ位置を検出することができる。
また、図１５には、ホスト装置ＨＯＳに入力される信号（ＨＯＳＴ Ｉ／Ｆ）として、上記したＴＥが示されている。なお、図示されていないが、タッチドライバＩＣ２によって検出されたタッチ位置は、ホスト装置ＨＯＳに出力される。表示装置ＤＳＰにおいては、ＶＳＹＮＣ信号（マスタ同期信号）、上記したＴＳＶＤ及びＴＳＨＤ等を用いることによって、パネルドライバＩＣ１、タッチドライバＩＣ２及びホスト装置ＨＯＳ間で同期した動作が実現される。
【０１０９】
なお、図１５によれば、垂直バックポーチ期間ＢＰ及び垂直フロントポーチ期間ＦＰにおいては、表示動作及びタッチ検出動作が行われないことが示されている。
図１６は、低速駆動モード時の１フレーム期間における各種信号の関係を表すタイミングチャートである。
【０１１０】
図１６に示すように、低速駆動モード時においては、上記した通常駆動モード時における垂直フロントポーチ期間ＦＰがＦＰ´に延長されている。また、垂直フロントポーチ期間ＦＰ´においては、表示動作及びタッチ検出動作が行われないため、各種信号の関係については図１５に示す垂直フロントポーチ期間ＦＰと同様である。
【０１１１】
本実施形態においては、上述したように図１６に示すような低速駆動モード時の１フレーム期間中にタイミングコントローラ１０７においてＲＡＭＷＲコマンドが受信された場合には、当該１フレーム期間（に含まれる垂直フロントポーチ期間ＦＰ´）が短縮されて次の１フレーム期間に遷移する。
【０１１２】
なお、図１７は、上記した低速駆動モード時の１フレーム期間に含まれる垂直フロントポーチ期間ＦＰ´中にタッチ検出動作を行う（つまり、タッチ検出期間Ｔ´が割り当てられている）場合の各種信号の関係を示すタイミングチャートである。図１７に示す１フレーム期間においては、図１６と比較して、垂直フロントポーチ期間ＦＰ´にタッチ検出期間Ｔ´が設定されている。具体的には、垂直フロントポーチ期間ＦＰ´においては、パネル信号としてＳＤＳＴ及びＳＤＣＫが表示パネルＰＮＬに入力されており、ＴＳＶＤ及びＴＳＨＤがタッチドライバＩＣ２に入力されている。このような構成によれば、タッチ検出期間Ｔと同一の間隔で垂直フロントポーチ期間ＦＰ´に配置されたタッチ検出期間Ｔ´においてもタッチ検出動作が行われる。このように、垂直フロントポーチ期間ＦＰ´においてもタッチ検出が継続されるので、ホスト装置ＨＯＳに対して、タッチ検出レポートが安定して実行される。よって本装置は、タッチ検出動作が安定している。
【０１１３】
上記したように本実施形態においては、表示装置ＤＳＰが低速駆動モード（第２の駆動モードで駆動）で駆動している間に当該低速駆動モードを通常駆動モード（第１の駆動モード）に切り替えるための切替信号が受信された場合、低速駆動モード時の１フレーム期間（第２の１フレーム期間）を短縮して次の１フレーム期間に遷移するとともに当該低速駆動を通常駆動に切り替える。
【０１１４】
具体的には、切替信号が受信された際に低速駆動モード時の１フレーム期間に含まれる表示期間及びタッチ検出期間が終了している場合には、当該１フレーム期間に含まれる表示調整期間の途中で当該１フレーム期間を終了させる。一方、切替信号が受信された際に低速駆動モード時の１フレーム期間に含まれる表示期間及びタッチ検出期間が終了していない場合には、当該表示期間及びタッチ検出期間の終了後に当該１フレーム期間を終了させる。
【０１１５】
本実施形態においては、このような構成により、低速駆動モード時の１フレーム期間が終了するまで待機することなく、次の１フレーム期間に遷移することができるため、表示装置ＤＳＰの駆動状態（駆動モード）を適切に切り替えることが可能となる。
また、本実施形態においては、上記した切替信号としてＲＡＭＷＲコマンドを利用する。すなわち、本実施形態においては、低速駆動モード時にＲＡＭＷＲコマンドが受信された場合に当該低速駆動モード時の１フレーム期間を短縮（終了）して次の１フレーム期間に遷移させることにより、低速駆動モード時の１フレーム期間が終了するまで待機することなく画面を書き換えることが可能となるため、画面の表示（更新）の遅延を回避する（つまり、表示の切り替えの応答を改善する）ことができる。
【０１１６】
なお、本実施形態においては、切替信号がビデオメモリ１０３に画素データが書き込まれたことを表すＲＡＭＷＲコマンドであるものとして説明したが、当該切替信号は、例えばホスト装置ＨＯＳから出力されるコマンドであっても構わない。
また、本実施形態において、低速駆動駆動モード時の１フレーム期間に含まれる表示期間の長さは通常駆動モード時の１フレーム期間に含まれる表示期間の長さと同一である。一方、低速駆動モード時の１フレーム期間に含まれる表示調整期間（垂直フロントポーチ期間）の長さは通常駆動モード時の１フレーム期間に含まれる表示調整期間よりも長い。本実施形態においては、このような構成により、通常駆動モード時と低速駆動モード時とで表示動作を変える必要がないため、当該表示動作に関する制御を簡易化することが可能である。
【０１１７】
また、本実施形態においては、表示装置ＤＳＰが低速駆動モードで駆動する場合に垂直バックポーチ期間ではなく垂直フロントポーチ期間が延長される構成により、極性反転を行った後、画像が書き込まれるまでの時間を一定にすることが可能となる。
【０１１８】
更に、本実施形態においては、予め定められた期間内にビデオメモリ１０３に画素データが書き込まれない場合に通常駆動モードを低速駆動モードに動的に切り替えることができるため、省電力化を図ることが可能である。
また、本実施形態においては、表示用の共通電極ＣＯＭＥ（表示期間に表示駆動電圧が印加される複数の共通電極）がタッチ検出用の駆動電極Ｔｘ（タッチ駆動電圧が印加される複数の駆動電極）として用いられる構成により、表示装置ＤＳＰの薄型化及び画質の向上を実現することができる。
【０１１９】
なお、上記した本実施形態における低速駆動モード時の１フレーム期間の短縮は、当該１フレーム期間（に含まれる表示期間、タッチ検出期間及び表示調整期間）の経過をカウントするカウンタ回路１０７ａと、低速駆動モードが通常駆動モードに切り替えられる際に当該カウンタ回路１０７ａによるカウントをリセットするリセット回路１０７ｂとを含むタイミングコントローラ１０７によって実現可能である。
【０１２０】
また、本実施形態においては共通電極ＣＯＭＥが走査線Ｇに沿って配置される場合について説明したが、本実施形態は、例えば共通電極ＣＯＭＥが信号線Ｓに沿って配置される構成に適用されても構わない。また、本実施形態は、共通電極ＣＯＭＥの形状等に限定されるものではなく、例えば表示画素毎に（つまり、ブロック状の）共通電極が配置されるような構成に適用されても構わない。更に、タッチ検出機構ＳＥの検出方式としては駆動電極と検出電極を備える相互容量検出方式を示したが、自己容量検出方式であってもよい。自己容量検出方式は、例えば複数の共通電極がマトリクス状に配列されて、各共通電極に対するタッチと非タッチにおいて電極容量が変化することを検出する方式である。
【０１２１】
更に、本実施形態に係る表示パネルＰＮＬは、バックライトを備える透過型であるものとして説明したが、上記したように反射型等であってもよい。また、液晶層を用いたものに限られず、例えば有機ＥＬパネル等を用いたものであってもよい。有機ＥＬパネルにおいては、上記の共通電極ＣＯＭＥは、複数の有機ＥＬ素子の画素電極と有機発光層を介して対向し、駆動電極を構成してもよい。
【０１２２】
なお、本実施形態においてはインセル型と称されるタッチ検出機構ＳＥを備える表示装置ＤＳＰについて説明したが、本実施形態は、例えばオンセル型のタッチ検出機構を備える表示装置ＤＳＰについて適用されても構わない。
ここで、本実施形態においては、上記したように表示用の共通電極ＣＯＭＥがタッチ検出用の駆動電極Ｔｘとして用いられる構成（インセル型）が採用されていることにより表示動作及びタッチ検出動作が繰り返し実行されるが、表示動作及びタッチ検出動作がそれぞれ独立して実行されるような構成（以下、第１の変形例と表記）の場合であっても、本実施形態を適用することが可能である。
【０１２３】
以下、図１８及び図１９を参照して、上記した第１の変形例における１フレームの遷移について簡単に説明する。なお、前述した図１２及び図１３と同様の部分については、その詳しい説明を省略する。
図１８は、第１の変形例において低速駆動モード時にタイミングコントローラ１０７においてＲＡＭＷＲコマンドが受信されない場合の１フレーム期間の遷移について説明するための図である。一方、図１９は、本変形例において低速駆動モード時にタイミングコントローラ１０７においてＲＡＭＷＲコマンドが受信される場合の１フレーム期間の遷移について説明するための図である。
【０１２４】
第１の変形例では、図１８及び図１９に示すように、表示動作及びタッチ検出動作がそれぞれ独立して実行されることにより、１フレームの画像が表示される表示期間を含む１フレーム期間（「ＢＰ＋ＤＩＳ＋ＦＰ」の期間）と、タッチ検出動作が実行されるタッチ検出期間（「Ｔ」の期間）とがそれぞれ別個に示されている。なお、図１８及び図１９に示すタッチ検出期間Ｔは、上記した１周期分のタッチ検出動作が実行される期間に相当する。
【０１２５】
この場合において、図１８に示すように低速駆動モード時にＲＡＭＷＲコマンドが受信されない場合には、当該ＲＡＭＷＲコマンドが受信されるまで、図１８に示す１フレーム期間Ｆ３と同様の１フレーム期間及び当該１フレーム期間Ｆ３と同じ長さのタッチ検出期間（ここでは、３周期分のタッチ検出動作）がそれぞれ繰り返される。
【０１２６】
これに対して、図１９に示すように、低速駆動モード時の１フレーム期間Ｆ３における垂直フロントポーチ期間ＦＰ´中にＲＡＭＷＲコマンドが受信される場合を想定する。
この場合には、１フレーム期間Ｆ３における垂直フロントポーチ期間ＦＰ´がＦＰ´´´に短縮されて当該１フレーム期間Ｆ３が終了される。この垂直フロントポーチ期間ＦＰ´´´は、例えば垂直フロントポーチ期間ＦＰ´の開始時点から、ＲＡＭＷＲコマンドが受信された時点で実行されているタッチ検出動作が完了した（つまり、タッチ検出期間Ｔが終了した）時点までの期間に相当する。
【０１２７】
１フレーム期間Ｆ３が終了された後は、画像Ｃを表示するための表示動作が実行される１フレーム期間Ｆ４に遷移する。なお、この１フレーム期間Ｆ４においては、表示装置ＤＳＰは、通常駆動モードで駆動される。
ここでは、低速駆動モード時の１フレーム期間Ｆ３における垂直フロントポーチ期間ＦＰ´中にＲＡＭＷＲコマンドが受信された場合について説明したが、例えば当該１フレーム期間Ｆ３における表示期間（「ＤＩＳ（Ｂ）」の期間）中にＲＡＭＷＲコマンドが受信された場合には、１フレーム期間Ｆ３は、当該１フレーム期間Ｆ３における表示期間が終了し、かつ、当該表示期間が終了した時点で実行されているタッチ検出動作が完了した後に終了される。
【０１２８】
このように第１の変形例においても、表示期間ＤＩＳ及びタッチ検出期間Ｔの終了後に垂直フロントポーチ期間ＦＰ´を短縮して次の１フレーム期間に遷移するとともに、低速駆動モードを通常駆動モードに切り替える（復帰させる）ことが可能となる。
更に、上述した表示期間及びタッチ検出期間の長さを通常駆動モード時と同一とし、かつ、垂直フロントポーチ期間ＦＰを延長することにより低速駆動を実現する場合以外に、例えば水平フロントポーチ期間または水平バックポーチ期間を延長する、１ラインに画素信号を書き込む期間を延長する、または原発振（内部発振器１０６）の周波数を低下するような構成（以下、第２の変形例と表記）によっても低速駆動を実現することも可能である。
【０１２９】
この第２の変形例の場合には、例えば図２０に示すように低速駆動モード時の１フレーム期間Ｆ３のスキャン期間（「ＤＩＳ（Ｂ）＿Ｔ」の期間）が長くなる。ここで、このような第２の変形例における低速駆動モード時のスキャン期間中にＲＡＭＷＲコマンドが受信される場合を想定する。この場合における１フレーム期間Ｆ３における垂直フロントポーチ期間は短い期間であるため、本実施形態において説明したように垂直フロントポーチ期間を途中で終了させることによって１フレーム期間Ｆ３を短縮することは困難である。この場合、図２１に示すように、低速駆動モード時の１フレーム期間Ｆ３におけるスキャン期間の途中で低速駆動モードを通常駆動モードに切り替えることによって当該１フレーム期間Ｆ３を短縮するものとする。具体的には、低速駆動モード時のスキャン期間においてＲＡＭＷＲコマンドが受信された場合、当該ＲＡＭＷＲコマンドが受信された直後の例えばｎ＋１番目及びｎ＋２番目の表示ラインに対しては低速駆動モードで表示動作を実行し（つまり、画素データを書き込み）、ｎ＋３番目以降の表示ラインについては通常駆動で表示動作を実行するものとする。なお、図２１においては省略されているが、タッチ検出動作についても同様に低速駆動モードから通常駆動モードに切り替えられるものとする。
【０１３０】
このように１フレーム期間の途中で低速駆動モードから通常駆動モードに切り替えられた場合には、上記したｎ＋３番目以降の表示期間（及びタッチ検出期間）を短縮することができるため、結果として１フレーム期間Ｆ３を短縮することができる。１フレーム期間Ｆ３が終了した後は、通常駆動による１フレーム期間Ｆ４に遷移する。
【０１３１】
詳細な説明については省略するが、図２２及び図２３に示すように、上記した第１の変形例（表示動作及びタッチ検出動作がそれぞれ独立して実行される構成）を第２の変形例と組み合わせた場合でもあっても同様に１フレーム期間Ｆ３を短縮することが可能である。
【０１３２】
なお、本実施形態に係る表示装置ＤＳＰ（タッチ検出機能付き表示装置）は、各種電子機器に組み込まれて使用されても構わない。表示装置ＤＳＰが組み込まれる電子機器には、例えばテレビジョン装置、デジタルカメラ、ビデオカメラ、ノートブック型パーソナルコンピュータ、タブレットコンピュータ、スマートフォン（携帯電話）及び車載用ディスプレイ等が含まれる。本実施形態に係る表示装置ＤＳＰは、画像（映像）を表示する様々な分野の電子機器に組み込み可能である。
【０１３３】
（第２の実施形態）  
次に、第２の実施形態について説明する。本実施形態に係る表示装置は、タッチ検出機能を有さない点で前述した第１の実施形態とは異なる。なお、以下の説明では、本実施形態に係る表示装置は有機ＥＬ表示装置であるものとして説明する。
【０１３４】
図２４は、本実施形態に係る表示装置ＤＳＰ´（有機ＥＬ表示装置）の断面構造の一例を模式的に示す図（断面図）である。図２４に示すように、アレイ基板ＡＲは、第１絶縁基板３０を用いて形成されている。第１絶縁基板３０は、ガラス基板であってもよいし、樹脂基板であってもよい。樹脂基板は、例えばポリイミド、ポリエチレンテレフタレート、ポリエチレンナフタレート、ポリカーボネート、ポリエーテルスルフォン等の樹脂材料によって形成される。
【０１３５】
アレイ基板ＡＲは、第１絶縁基板３０の第１主面３０Ａ側に、第１絶縁膜３１、第２絶縁膜３２、第３絶縁膜３３、第４絶縁膜３４、バンク３５、スイッチング素子ＳＷ１〜ＳＷ３、反射板ＲＰ、有機ＥＬ素子ＯＬＥＤ１〜ＯＬＥＤ３、封止膜４０等を備えている。
【０１３６】
第１絶縁基板３０の第１主面３０Ａは、第１絶縁膜３１によって覆われている。このような第１絶縁膜３１は、シリコン窒化物（ＳｉＮ）、シリコン酸化物（ＳｉＯ）またはシリコン酸窒化物（ＳｉＯＮ）等の無機系材料によって形成され、単層体もしくは積層体によって形成されている。
【０１３７】
スイッチング素子ＳＷ１〜ＳＷ３は、第１絶縁膜３１の上に形成されている。スイッチング素子ＳＷ１は青色画素ＰＸＢに配置され、スイッチング素子ＳＷ２は緑色画素ＰＸＧに配置され、スイッチング素子ＳＷ３は赤色画素ＰＸＲに配置されている。これらのスイッチング素子ＳＷ１〜ＳＷ３は、例えばそれぞれ半導体層ＳＣを備えた薄膜トランジスタ（ＴＦＴ）である。スイッチング素子ＳＷ１〜ＳＷ３は、いずれも同一構造であるが、ここでは、スイッチング素子ＳＷ１に着目してその構造をより具体的に説明する。
【０１３８】
図示した例では、スイッチング素子ＳＷ１は、トップゲート型であり、多結晶シリコン（ｐ−Ｓｉ）によって形成された半導体層ＳＣを備えている。なお、半導体層ＳＣは、アモルファスシリコン（ａ−Ｓｉ）または酸化物半導体等によって形成されてもよい。また、スイッチング素子ＳＷ１は、ボトムゲート型であってもよい。ただし、スイッチング素子として適用されるトップゲート型の薄膜トランジスタは、ボトムゲート型の薄膜トランジスタと比較して、寄生容量を低減することができる。
【０１３９】
半導体層ＳＣは、チャネル領域ＳＣＣと、チャネル領域ＳＣＣより多くの不純物を含む第１不純物領域ＳＣ１及び第２不純物領域ＳＣ２とを有している。チャネル領域ＳＣＣは、第１不純物領域ＳＣ１と第２不純物領域ＳＣ２との間に位置している。また、チャネル領域ＳＣＣは、第１不純物領域ＳＣ１及び第２不純物領域ＳＣ２よりも高抵抗の領域に相当する。半導体層ＳＣは、第１絶縁膜３１の上に形成され、第２絶縁膜３２によって覆われている。第２絶縁膜３２は、第１絶縁膜３１の上にも配置されている。このような第２絶縁膜３２は、シリコン酸化物等の無機系材料によって形成されている。
【０１４０】
スイッチング素子ＳＷ１のゲート電極ＷＧは、第２絶縁膜３２の上に形成され、チャネル領域ＳＣＣの直上に位置している。このようなゲート電極ＷＧは、モリブデン（Ｍｏ）、タングステン（Ｗ）、アルミニウム（Ａｌ）、チタン（Ｔｉ）、銅（Ｃｕ）等の金属材料またはこれらの金属材料を含む合金等によって形成される。一例として、ゲート電極ＷＧは、モリブデン・タングステン（ＭｏＷ）によって形成されている。ゲート電極ＷＧは、第３絶縁膜３３によって覆われている。第３絶縁膜３３は、第２絶縁膜３２の上にも配置されている。このような第３絶縁膜３３は、シリコン窒化物やシリコン酸化物等の無機系材料によって形成されている。
【０１４１】
スイッチング素子ＳＷ１の第１電極ＷＥ１及び第２電極ＷＥ２は、第３絶縁膜３３の上に形成されている。第１電極ＷＥ１は半導体層ＳＣの第１不純物領域ＳＣ１に電気的に接続され、第２電極ＷＥ２は半導体層ＳＣの第２不純物領域ＳＣ２に電気的に接続されている。このような第１電極ＷＥ１及び第２電極ＷＥ２は、モリブデン（Ｍｏ）、タングステン（Ｗ）、アルミニウム（Ａｌ）、チタン（Ｔｉ）、銅（Ｃｕ）等の金属材料またはこれらの金属材料を含む合金等によって形成される。一例として、第１電極ＷＥ１及び第２電極ＷＥ２は、アルミニウム及びチタンの積層体によって形成されている。第１で極ＷＥ１及び第２電極ＷＥ２は、第４絶縁膜３４によって覆われている。第４絶縁膜３４は、第３絶縁膜３３の上にも配置されている。このような第４絶縁膜３４は、例えばアクリル樹脂等の樹脂材料によって形成されている。
【０１４２】
有機ＥＬ素子ＯＬＥＤ１〜ＯＬＥＤ３は、第４絶縁膜３４の上に形成されている。有機ＥＬ素子ＯＬＥＤ１は、青色画素ＰＸＢに配置され、スイッチング素子ＳＷ１と電気的に接続されている。有機ＥＬ素子ＯＬＥＤ２は、緑色画素ＰＸＧに配置され、スイッチング素子ＳＥ２と電気的に接続されている。有機ＥＬ素子ＯＬＥＤ３は、赤色画素ＰＸＲに配置され、スイッチング素子ＳＷ３と電気的に接続されている。これらの有機ＥＬ素子ＯＬＥＤ１〜ＯＬＥＤ３は、封止膜４０の側に向かって発光するトップエミッションタイプの自発光素子であり、例えばそれぞれ異なる色に発光する。
【０１４３】
バンク３５は、第４絶縁膜３４の上に形成され、有機ＥＬ素子ＯＬＥＤ１〜ＯＬＥＤ３を区画している。詳細な説明については省略しているが、バンク１５は、例えば第４絶縁膜３４の上において格子状またはストライプ状に形成されている。
有機ＥＬ素子ＯＬＥＤ１は、画素電極ＰＥ１と、画素電極ＰＥ１と対向する共通電極ＣＥと、画素電極ＰＥ１と共通電極ＣＥとの間に配置された有機発光層ＯＲＧ（Ｂ）とを備えている。有機ＥＬ素子ＯＬＥＤ２は、画素電極ＰＥ２と、画素電極ＰＥ２と対向する共通電極ＣＥと、画素電極ＰＥ２と共通電極ＣＥとの間に配置された有機発光層ＯＲＧ（Ｇ）とを備えている。有機ＥＬ素子ＯＬＥＤ３は、画素電極ＰＥ３と、画素電極ＰＥ３と対向する共通電極ＣＥと、画素電極ＰＥ３と共通電極ＣＥとの間に配置された有機発光層ＯＲＧ（Ｒ）とを備えている。
【０１４４】
画素電極ＰＥ１は、スイッチング素子ＳＷ１と電気的に接続されている。画素電極ＰＥ２は、スイッチング素子ＳＷ２と電気的に接続されている。画素電極ＰＥ３は、スイッチング素子ＳＷ３と電気的に接続されている。画素電極ＰＥ１〜ＰＥ３のそれぞれのエッジは、バンク３５によってカバーされている。このような画素電極ＰＥ１〜ＰＥ３は、例えばインジウム・ティン・オキサイド（ＩＴＯ）、インジウム・ジンク・オキサイド（ＩＺＯ）等の透明な導電材料によって形成されている。
【０１４５】
反射板ＲＰは、第１絶縁基板３０と画素電極ＰＥ１〜ＰＥ３との間に配置されている。図示した例では、反射板ＲＰは、第４絶縁膜３４の上に形成され、画素電極ＰＥ１〜ＰＥ３のそれぞれと重なっている。このような反射板ＲＰは、例えばアルミニウム（Ａｌ）、マグネシウム（Ｍｇ）、銀（Ａｇ）、チタン（Ｔｉ）等の高反射率の金属材料によって形成されている。なお、反射板ＲＰは、第１絶縁基板３０と画素電極ＰＥ１〜ＰＥ３との間のいずれの位置に配置されてもよいが、有機ＥＬ素子ＯＬＥＤ１〜ＯＬＥＤ３からの放射光がスイッチング素子ＳＷ１〜ＳＷ３に到達することによるスイッチング素子ＳＷ１〜ＳＷ３の誤動作等を防止するためには、画素電極ＰＥ１〜ＰＥ３により近い位置に配置されることが望ましく、スイッチング素子ＳＷ１〜ＳＷ３をカバーするように配置されることが望ましい。
【０１４６】
有機発光層ＯＲＧ（Ｂ）は、青色に発光するドーパント材料を含んでいる。有機発光層ＯＲＧ（Ｇ）は、緑色に発光するドーパント材料を含んでいる。有機発光層ＯＲＧ（Ｒ）は、赤色に発光するドーパント材料を含んでいる。有機発光層ＯＲＧ（Ｂ）、有機発光層ＯＲＧ（Ｇ）及び有機発光層ＯＲＧ（Ｒ）は、いずれもバンク３５の上で途切れている。
【０１４７】
共通電極ＣＥは、有機ＥＬ素子ＯＬＥＤ１〜ＯＬＥＤ３に亘って途切れることなく連続的に形成され、有機発光層から露出したバンク３５の上も覆っている。このような共通電極ＣＥは、例えばＩＴＯまたはＩＺＯ等の透明な導電材料によって形成されている。また、共通電極ＣＥは、マグネシウム（Ｍｇ）、銀（Ａｇ）等の半透過膜として形成されてもよい。
【０１４８】
なお、有機ＥＬ素子ＯＬＥＤ１〜ＯＬＥＤ３において、画素電極ＰＥ１〜ＰＥ３の各々と有機発光層ＯＲＧ（Ｂ）、有機発光層ＯＲＧ（Ｇ）及び有機発光層ＯＲＧ（Ｒ）との間には、更に、ホール注入層及びホール輸送層等が介在していてもよい。また、有機発光層ＯＲＧ（Ｂ）、有機発光層ＯＲＧ（Ｇ）及び有機発光層ＯＲＧ（Ｒ）と共通電極ＣＥとの間には、更に、電子注入層及び電子輸送層等が介在していてもよい。
【０１４９】
封止膜４０は、有機ＥＬ素子ＯＬＥＤ１〜ＯＬＥＤ３を封止している。封止膜４０は、水分または酸素等から有機ＥＬ素子ＯＬＥＤ１〜ＯＬＥＤ３を保護する。このような封止膜４０は、例えば無機系材料によって形成された無機薄膜と、有機系材料によって形成された有機薄膜とを交互に積層した積層体によって形成されている。
【０１５０】
このような表示装置ＤＳＰ´によれば、有機ＥＬ素子ＯＬＥＤ１〜ＯＬＥＤ３の各々が発光した際、各放射光が封止膜４０を介して外部に出射される。青色画素ＰＸＢにおいては、有機ＥＬ素子ＯＬＥＤ１から青色光が出射される。緑色画素ＰＸＧにおいては、有機ＥＬ素子ＯＬＥＤ２から緑色光が出射される。赤色画素ＰＸＲにおいては、有機ＬＥ素子ＯＬＥＤ３から赤色光が出射される。これにより、カラー表示が実現される。
【０１５１】
なお、アレイ基板ＡＲは、上記の構造例に限定されるものではない。例えば、表示装置ＤＳＰ´の画素ＰＸがサブピクセルとして更に白色画素を備える場合には、当該白色画素は、白色に発光する有機層を有する有機ＥＬ素子を備えていてもよいし、上記の３種類の有機ＥＬ素子ＯＬＥＤ１〜ＯＬＥＤ３を備えた構成であってもよい。
【０１５２】
また、アレイ基板ＡＲは、有機ＥＬ素子ＯＬＥＤ１〜ＯＬＥＤ３に亘って途切れることなく連続体に形成され、かつ、白色に発光する有機発光層を適用してもよい。このようなアレイ基板ＡＲに対しては、有機ＥＬ素子ＯＬＥＤ１〜ＯＬＥＤ３に対向するカラーフィルタを組み合わせることでカラー表示が実現可能となる。
【０１５３】
ここで、前述した第１の実施形態に係る表示装置ＤＳＰ（タッチ検出機能付き表示装置）においては、図１２〜図１４において説明したように、低速駆動モード時の１フレーム期間中にＲＡＭＷＲコマンドが受信された場合に、当該１フレーム期間（に含まれる垂直フロントポーチ期間）を短縮して次の１フレーム期間に遷移するとともに、低速駆動モードを通常駆動モードに切り替えることができる。
【０１５４】
このような前述した第１の実施形態に係る表示装置ＤＳＰの動作は、本実施形態に係る表示装置ＤＳＰ´に対しても適用可能である。具体的には、図１２〜図１４において説明したスキャン期間（「ＤＩＳ＿Ｔ」の期間）は表示動作及びタッチ検出動作が繰り返し実行される期間であるが、本実施形態に係る表示装置ＤＳＰ´においてはタッチ検出動作は実行されないため、このスキャン期間は表示動作が実行される期間（つまり、表示期間）となる。なお、図１２〜図１４におけるスキャン期間が表示期間に置き換わる点以外については第１の実施形態と同様であるため、本実施形態に係る表示装置ＤＳＰ´においても、低速駆動モード時の１フレーム期間中にＲＡＭＷＲコマンドが受信された場合には、当該１フレーム期間（に含まれる垂直フロントポーチ期間）を短縮して低速駆動モードを通常駆動モードに切り替えることができる。
【０１５５】
このような表示装置ＤＳＰ´の動作は当該表示装置ＤＳＰ´に搭載されているパネルドライバ（図示せず）によって制御されるが、その詳細については前述した第１の実施形態と同様であるため省略する。
ここで、図２５及び図２６は、本実施形態における通常駆動モード時及び低速駆動モード時の１フレーム期間における各種信号の関係を表すタイミングチャートである。なお、図２５及び図２６は、タッチ検出期間Ｔ及びタッチ検出動作に関する信号が示されていない点以外は前述した図１５及び図１６と同様であるため、ここではその詳しい説明を省略する。
【０１５６】
上記したように、前述した第１の実施形態に係る表示装置ＤＳＰ（タッチ検出機能付き表示装置）の動作をタッチ検出機能を有さない表示装置ＤＳＰ´（例えば、有機ＥＬ表示装置）に適用することによって、当該表示装置ＤＳＰ´においても、ＲＡＭＷＲコマンド（切替信号）が受信された場合に、低速駆動モード時の１フレーム期間を短縮して次の１フレーム期間に遷移するとともに当該表示装置ＤＳＰ´の駆動状態を低速駆動モードから通常駆動モードに切り替えることが可能となる。このような構成によれば、ＲＡＭＷＲコマンドのような切替信号に応じて表示装置ＤＳＰ´の駆動状態を適切に切り替えることができるため、低速駆動から通常駆動への復帰を速やかに行うことが可能となる。
【０１５７】
なお、本実施形態に係る表示装置ＤＳＰ´は有機ＥＬ表示装置であるものとして説明したが、当該表示装置ＤＳＰ´は例えばタッチ検出機能を有さない液晶表示装置等として実現されても構わない。なお、タッチ検出機能を有さない液晶表示装置の場合には、例えば前述した図２に示すタッチ検出電極Ｒｘを備えない構成とすることができる。
【０１５８】
以上述べた少なくとも１つの実施形態によれば、駆動状態を適切に切り替えることが可能な表示装置及び表示制御方法を提供することができる。
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１５９】
ＤＳＰ、ＤＳＰ´…表示装置、ＰＮＬ…表示パネル（表示部）、ＳＥ…タッチ検出機構（検出部）、ＩＣ１…パネルドライバ（制御部）、ＩＣ２…タッチドライバ、Ｒｘ…タッチ検出電極、ＨＯＳ…ホスト装置、ＧＤ…ゲートドライバ、ＳＤ…ソースドライバ、ＣＤ…共通電極ドライバ、ＰＸ…表示画素（表示素子）、ＣＯＭＥ…共通電極（駆動電極）、１０１…Ｉ／Ｆ回路、１０２…データ処理回路、１０３…ビデオメモリ、１０４…表示用ラインデータラッチ回路、１０５…ソース増幅器、１０６…内部発振器、１０７…タイミングコントローラ、１０７ａ…カウンタ回路、１０７ｂリセット回路、１０８…表示駆動回路、１０９…タッチ駆動回路。
【図１】
2018060007.tif 000003
【図２】
2018060007.tif 000004
【図３】
2018060007.tif 000005
【図４】
2018060007.tif 000006
【図５】
2018060007.tif 000007
【図６】
2018060007.tif 000008
【図７】
2018060007.tif 000009
【図８】
2018060007.tif 000010
【図９】
2018060007.tif 000011
【図１０】
2018060007.tif 000012
【図１１】
2018060007.tif 000013
【図１２】
2018060007.tif 000014
【図１３】
2018060007.tif 000015
【図１４】
2018060007.tif 000016
【図１５】
2018060007.tif 000017
【図１６】
2018060007.tif 000018
【図１７】
2018060007.tif 000019
【図１８】
2018060007.tif 000020
【図１９】
2018060007.tif 000021
【図２０】
2018060007.tif 000022
【図２１】
2018060007.tif 000023
【図２２】
2018060007.tif 000024
【図２３】
2018060007.tif 000025
【図２４】
2018060007.tif 000026
【図２５】
2018060007.tif 000027
【図２６】
2018060007.tif 000028